(57)【要約】【課題】携帯端末の方向を変えるだけで簡単に遠隔操作することができる電子機器を提供する。【解決手段】携帯電話から送信された信号を受信する、所定の間隔をおいて配置された第１および第２赤外線通信部と、信号を受信した赤外線通信部を検出する受信通信部判定部１ｌと、受信部検出手段の検出結果と、複数の処理のうちのひとつとを対応付ける主制御部とを備える。【選択図】図１
2007142653.tif 000002
【特許請求の範囲】
【請求項１】
携帯端末から送信された信号を受信する、所定の間隔をおいて配置された複数の受信部と、
上記信号を受信した受信部を検出する受信部検出手段と、
上記複数の受信部のうち、どの受信部が上記信号を受信したのかという上記受信部検出手段の検出結果と複数の処理のうちのひとつとを対応付ける制御手段とを備えることを特徴とする電子機器。
【請求項２】
携帯端末から送信された信号を受信する複数の受信部と、
上記信号を受信した受信部を検出する受信部検出手段と、
上記複数の受信部のうち、どの受信部が上記信号を受信したのかという上記受信部検出手段の検出結果と複数の処理のうちのひとつとを対応付ける制御手段とを備え、
上記複数の受信部は、それぞれ異なる方向から送信された信号を受信することを特徴とする電子機器。
【請求項３】
上記複数の受信部は、赤外線受信部であることを特徴とする請求項１または２に記載の電子機器。
【請求項４】
報知部をさらに備え、
上記報知部は、上記検出結果を報知することを特徴とする請求項１または２に記載の電子機器。
【請求項５】
タイマーをさらに備え、
上記制御手段は、上記タイマーを参照することにより、上記受信部が上記信号を受信してから所定時間は上記複数の処理のうちのひとつを実行することを延期することを特徴とする請求項１または２に記載の電子機器。
【請求項６】
処理の中止を命じる中止信号を上記受信部において受信した場合に、上記制御手段は、上記複数の処理のうちのひとつを実行することを中止することを特徴とする請求項１または２に記載の電子機器。
【請求項７】
処理の中止を命じる中止信号を上記受信部において受信した場合に、上記制御手段は、上記複数の処理のうちのひとつを実行することを中止することを特徴とする請求項１または２に記載の電子機器。
【請求項８】
上記複数の受信部のうち、２つ以上の受信部によって同時に上記信号が受信されたと上記受信部検出手段が判断した場合に、上記制御手段は、上記複数の処理のうちのひとつを実行することを中止することを特徴とする請求項１または２に記載の電子機器。
【請求項９】
画面を有する表示部と、
上記画面上に複数の表示領域を形成する分割表示制御手段とをさらに備え、
上記制御手段は、上記検出結果と上記複数の表示領域のいずれかに画像を表示する処理とを対応付けることを特徴とする請求項１または２に記載の電子機器。
【請求項１０】
上記信号を受信した受信部が配置されている側に位置する表示領域に画像が表示されることを特徴とする請求項９に記載の電子機器。
【請求項１１】
上記信号には、画像データが含まれており、
上記表示部は、上記画像データに基づく画像を表示することを特徴とする請求項９に記載の電子機器。
【請求項１２】
上記分割表示制御手段は、上記表示部に表示される画像の数に応じて上記表示領域の数を変化させることを特徴とする請求項９に記載の電子機器。
【請求項１３】
上記信号には、当該信号を送信した携帯端末を識別するための携帯端末識別情報が含まれており、
上記信号から上記携帯端末識別情報を抽出する識別情報抽出手段と、
上記識別情報抽出手段によって抽出された携帯端末識別情報と特定の携帯端末識別情報とを比較する識別情報比較手段とをさらに備えることを特徴とする請求項１または２に記載の電子機器。
【請求項１４】
上記携帯端末を制御する複数種の制御信号を生成する制御信号生成手段と、
上記制御信号を送信する送信部とをさらに備え、
上記制御手段は、上記検出結果に基づいて、複数種の制御信号のうちのひとつを生成するよう上記制御信号生成手段へ指示を出すものであることを特徴とする請求項１または２に記載の電子機器。
【請求項１５】
上記複数種の制御信号は、上記携帯端末にデータを送信するように命じるものであり、
上記制御信号の種類と上記携帯端末における上記データの送信様式とが対応付けられていることを特徴とする請求項１４に記載の電子機器。
【請求項１６】
上記データは画像データであり、
上記画像データに基づく画像を表示する表示部をさらに備えることを特徴とする請求項１５に記載の電子機器。
【請求項１７】
上記複数の受信部は、無線受信部と複数の赤外線受信部とを含み、
上記無線受信部は、上記携帯端末から送信された上記データを受信し、
上記複数の赤外線受信部は、上記信号を受信することを特徴とする請求項１５に記載の電子機器。
【請求項１８】
上記送信部は、複数配されており、
上記制御信号は、上記信号を受信した受信部に最も近い位置にある送信部から送信されることを特徴とする請求項１４に記載の電子機器。
【請求項１９】
画面を有する表示部をさらに備え、
上記制御手段は、上記検出結果と上記画面上に表示されたカーソルの移動方向とを対応付けるものであることを特徴とする請求項１または２に記載の電子機器。
【請求項２０】
上記複数の受信部は、上記画面の周囲に配されており、
上記制御手段は、上記信号を受信した受信部が配されている側へ上記カーソルを移動させるものであることを特徴とする請求項１９に記載の電子機器。
【請求項２１】
上記複数の受信部は、上記画面の周囲の上下左右の４箇所に配されており、
上記制御手段は、上記検出結果に基づいて、上記画面上に表示されたカーソルを上下左右の４方向に移動させるものであり、
上記制御手段は、上記画面の上側に配置された受信部で上記信号を受信した場合には、カーソルを上方向に移動させ、上記画面の下側に配置された受信部で上記信号を受信した場合には、カーソルを下方向に移動させ、上記画面の左側に配置された受信部で上記信号を受信した場合には、カーソルを左方向に移動させ、上記画面の右側に配置された受信部で上記信号を受信した場合には、カーソルを右方向に移動させることを特徴とする請求項２０に記載の電子機器。
【請求項２２】
回数を計測する計測手段をさらに備え、
上記制御手段は、上記検出結果に基づいて、上記受信部ごとに上記信号が受信された回数を計測するよう上記計測手段に命じるものであることを特徴とする請求項１または２に記載の電子機器。
【請求項２３】
上記信号には、当該信号を送信した携帯端末を識別するための携帯端末識別情報が含まれており、
上記信号から上記携帯端末識別情報を抽出する識別情報抽出手段と、
上記識別情報抽出手段によって抽出された携帯端末識別情報と特定の携帯端末識別情報とを比較する識別情報比較手段とをさらに備えることを特徴とする請求項２２に記載の電子機器。
【請求項２４】
上記識別情報抽出手段によって抽出された携帯端末識別情報を記録するメモリをさらに備え、
上記識別情報比較手段は、上記識別情報抽出手段によって携帯端末識別情報が抽出された場合に、当該携帯端末識別情報が既に上記メモリに記録されているものであるかどうかを判断することを特徴とする請求項２３に記載の電子機器。
【請求項２５】
特定の方向から見ることができる画像を複数表示するマルチビュー表示部をさらに備え、
上記制御手段は、上記検出結果と上記複数の画像のいずれかを表示する処理とを対応付けることを特徴とする請求項１または２に記載の電子機器。
【請求項２６】
上記受信部が上記信号を受信できる方向の範囲である受信可能範囲と、上記マルチビュー表示部に表示される画像を見ることができる方向の範囲である可視範囲とは少なくとも一部重なっており、
上記制御手段は、上記信号を受信した受信部の受信可能範囲と重なる可視範囲を有する画像の表示処理を行うことを特徴とする請求項２５に記載の電子機器。
【請求項２７】
自装置の制御を他装置に要求する操作要求信号を送信する送信部と、
上記他装置から送信された制御信号を受信する受信部とを備え、
受信した制御信号に基づいて動作することを特徴とする携帯端末。
【請求項２８】
上記制御信号は、データを送信することを命じるものであり、
受信した制御信号に基づいて特定のデータを他装置へ送信することを特徴とする請求項２７に記載の携帯端末。
【請求項２９】
上記データは、画像データであることを特徴とする請求項２８に記載の携帯端末。
【請求項３０】
上記制御信号には、携帯端末を識別するための携帯端末識別情報が含まれており、
上記制御信号から上記携帯端末識別情報を抽出する識別情報抽出手段と、
上記識別情報抽出手段によって抽出された携帯端末識別情報と自装置の携帯端末識別情報とを比較する識別情報比較手段とをさらに備えることを特徴とする請求項２７に記載の携帯端末。
【請求項３１】
携帯端末から電子機器へデータを送信するデータ送信システムであって、
上記携帯端末は、自装置の制御を上記電子機器に要求する操作要求信号を送信部から送信した後に、データを送信することを命じる制御信号を受信部で受信した場合に、受信した制御信号に基づいて、特定のデータを送信部から送信するものであり、
上記電子機器は、
上記携帯端末から送信された操作要求信号および上記特定のデータを受信する、所定の間隔をおいて配置された複数の受信部と、
上記操作要求信号を受信した受信部を検出する受信部検出手段と、
上記複数の受信部のうち、どの受信部が上記操作要求信号を受信したのかという上記受信部検出手段の検出結果に基づいて、上記携帯端末を制御する複数の制御信号のうちのひとつを生成する制御信号生成手段と、
上記制御信号生成手段によって生成された制御信号を送信する送信部とを備えるものであることを特徴とするデータ送信システム。
【請求項３２】
携帯端末から電子機器へデータを送信するデータ送信システムであって、
上記携帯端末は、自装置の制御を上記電子機器に要求する操作要求信号を送信部から送信した後に、データを送信することを命じる制御信号を受信部で受信した場合に、受信した制御信号に基づいて、特定のデータを送信部から送信するものであり、
上記電子機器は、
上記携帯端末から送信された操作要求信号および上記特定のデータを受信する、複数の受信部と、
上記操作要求信号を受信した受信部を検出する受信部検出手段と、
上記複数の受信部のうち、どの受信部が上記操作要求信号を受信したのかという上記受信部検出手段の検出結果に基づいて、上記携帯端末を制御する複数の制御信号のうちのひとつを生成する制御信号生成手段と、
上記制御信号生成手段によって生成された制御信号を送信する送信部とを備えるものであり、
上記複数の受信部は、それぞれ異なる方向から送信された信号を受信することを特徴とするデータ送信システム。
【請求項３３】
請求項１〜２６のいずれか１項に記載の電子機器を動作させる動作プログラムであって、コンピュータを上記各手段として機能させるための動作プログラム。
【請求項３４】
請求項３３に記載の動作プログラムを記録したコンピュータ読み取り可能な記録媒体。
【発明の詳細な説明】
【技術分野】
【０００１】
本発明は、携帯端末から送信される信号を受信し、その信号に対応した処理を行う電子機器、携帯端末、データ送信システムに関するものである。
【背景技術】
【０００２】
最近の携帯電話には赤外線通信機能が搭載されているものが多い。このような携帯電話をリモコンとして用いてテレビのチャンネルを切り替えることや、携帯電話同士で赤外線通信を行いプロフィール交換などを行うことができる。
【０００３】
また、IrSimpleなど高速伝送が可能な赤外線通信規格が発表されており、携帯電話に保存されている画像データをテレビなどの他の機器に転送するようなシーンが今後増えることが予想される。例えば、携帯電話に保存されている写真をテレビに表示し、当該写真を用いて多くの人にプレゼンテーションをすることが想定される。
【０００４】
携帯端末と受信装置との間の通信に関わる発明の例として、下記の特許文献１〜５に記載の発明を挙げることができる。
【０００５】
特許文献１には、複数の受光部を設けることにより、確実に、しかも何れの受光部対向面からでも遠隔操作できるテレビ受像機が記載されている。
【０００６】
具体的には、テレビ受像機操作用の制御信号を送信するリモート送信機からの赤外光を受光するフオトトランジスタ等の受光素子を内蔵する受光部が、ケーシングの上部の左、右側、および下部の左側寄りにそれぞれ設けられている。そのため、ある受光部を遮光する位置に子供等が立っていても、リモート送信機からの送出光を残りの受光部によって受光できる。これにより、何れの受光部対向面からもテレビ受像機を確実に遠隔操作できる。
【０００７】
また、特許文献２には、リアルタイムで照準方向にあるスクリーンを特定出来るシューティングゲーム装置が記載されている。
【０００８】
このシューティングゲーム装置は、ゲーム画面上での照準位置を検出する位置検出手段、その照準位置に向けて、赤外線を投射する赤外線発光部、隣接する複数のスクリーン毎に自己の画面領域に投射された赤外線を受光する赤外線受光部を備えている。隣接する複数のスクリーンが赤外線を受光しているとの受光結果を示していた場合、複数のスクリーンの位置関係または各画面上の位置検出手段の検出した照準位置の少なくとも一方に基づき、所定のアルゴリズムに従い、照準の向けられたスクリーンが特定される。
【０００９】
また、特許文献３には、画面上に表示されたカーソルを、リモコンを動かすことによって、指で指した方向に移動するようなダイレクトな感覚でかつ簡単に操作できるカーソル制御装置が記載されている。
【００１０】
このカーソル制御装置では、リモコンによって赤外線信号を送信し、その赤外線信号を複数の受光部により受信する。Ｘ座標検出回路は、第１受光部および第２受光部からの信号に基づいてリモコンの水平方向座標を演算する。Ｙ座標検出回路は、第２受光部および第３受光部からの信号に基づいてリモコンの垂直方向座標を演算する。そして、カーソル表示回路は、リモコンの座標に従って、画面上にカーソルを表示する。
【００１１】
また、特許文献４には、表示装置と通信端末とが直接あるいはネットワークを介して相互に通信し、表示装置が受信した映像の静止画データなどを通信端末に送信することが可能な、表示装置および通信端末が記載されている。
【００１２】
具体的には、上記通信端末は、上記表示装置に表示中の映像のキャプチャー要求を含む要求信号を送信する。表示装置は、要求された静止画像データを通信端末に送信する。そして、通信端末は、表示装置から送信される静止画データを受信する。
【００１３】
また、特許文献５には、リモコン位置検出センサーを備える表示装置が記載されている。この表示装置では、リモコン位置検出センサーによって検出されたリモコン位置に応じて、表示される映像が選択される。
【特許文献１】特開平３−７０３７１号公報（１９９１年３月２６日公開）
【特許文献２】特開平９−３１３７３７号公報（１９９７年１２月９日公開）
【特許文献３】特開平５−１１０９６５号公報（１９９３年４月３０日公開）
【特許文献４】特開２００５−２０４２１２号公報（２００５年７月２８日公開）
【特許文献５】特開２００５−７３０７６号公報（２００５年３月１７日公開）
【発明の開示】
【発明が解決しようとする課題】
【００１４】
ところが、従来の携帯端末および表示装置では、携帯端末に保存されている画像を表示装置に送信する場合、携帯端末の画面を見ながら送信する画像を選択し、その後携帯端末を表示装置に向けて送信ボタンを押すという動作を行う必要がある。すなわち、操作中に、携帯端末の画面と表示装置の画面との間で視線を頻繁に切り換える必要がある。
【００１５】
そのため、従来の構成では、操作しづらいという問題がある。特に、表示装置の画面を見ながらプレゼンテーションをする場合には、プレゼンテーションの流れを途切れさせてしまう虞があるという問題がある。
【００１６】
本発明は、上記の問題点を解決するためになされたもので、その目的は、携帯端末の方向を変えるだけで簡単に遠隔操作することができる電子機器および当該電子機器に信号を送る携帯端末を提供することにある。
【課題を解決するための手段】
【００１７】
本発明に係る電子機器は、上記の課題を解決するために、携帯端末から送信された信号を受信する、所定の間隔をおいて配置された複数の受信部と、上記信号を受信した受信部を検出する受信部検出手段と、上記複数の受信部のうち、どの受信部が上記信号を受信したのかという上記受信部検出手段の検出結果と複数の処理のうちのひとつとを対応付ける制御手段とを備えることを特徴としている。
【００１８】
上記の構成によれば、複数の受信部は、所定の間隔をおいて配置されている。そして、携帯端末から信号が送信された場合、その信号をどの受信部が受信したかを受信部検出手段が検出する。この検出結果に基づいて、制御手段は複数の処理のうちのひとつを実行する。
【００１９】
それゆえ、携帯端末から送信される信号の送信方向を変えるという簡単な操作により、電子機器における複数の処理のうちのひとつを選択できる。したがって、簡単に遠隔操作できる電子機器を実現できる。
【００２０】
本発明に係る電子機器は、上記の課題を解決するために、携帯端末から送信された信号を受信する複数の受信部と、上記信号を受信した受信部を検出する受信部検出手段と、上記複数の受信部のうち、どの受信部が上記信号を受信したのかという上記受信部検出手段の検出結果と複数の処理のうちのひとつとを対応付ける制御手段とを備え、上記複数の受信部は、それぞれ異なる方向から送信された信号を受信することを特徴としている。
【００２１】
上記の構成によれば、電子機器は複数の受信部を有しており、これら受信部は、それぞれ異なる方向から送信された信号を受信する。また、携帯端末から信号が送信された場合、その信号をどの受信部が受信したかを受信部検出手段が検出する。この検出結果に基づいて、制御手段は複数の処理のうちのひとつを実行する。
【００２２】
それゆえ、どの方向から信号が送信されたかによって、電子機器における複数の処理のうちのどれが実行されるかが決定される。したがって、信号を送信した携帯端末の位置に応じて処理内容を変更できる電子機器を実現できる。換言すれば、携帯端末からの信号の送信方向を変えるだけで簡単に遠隔操作することができる電子機器を実現できる。
【００２３】
また、上記複数の受信部は、赤外線受信部であることが好ましい。
【００２４】
赤外線は、指向性を有しており、特定の方向に信号を送信する場合に適した情報媒体である。
【００２５】
上記の構成により、赤外線を搬送媒体として用いることができる。そのため、複数の受信部のうちの、ひとつの受信部に信号を受信させることが容易となる。
【００２６】
また、上記電子機器は、報知部をさらに備え、当該報知部は、上記検出結果を報知することが好ましい。
【００２７】
上記の構成によれば、報知部は、受信部検出手段の検出結果を報知する。それゆえ、どの受信部によって上記信号が受信されたかという情報をユーザに報知できる。
【００２８】
また、上記電子機器は、タイマーをさらに備え、上記制御手段は、上記タイマーを参照することにより、上記受信部が上記信号を受信してから所定時間は上記複数の処理のうちのひとつを実行することを延期することが好ましい。
【００２９】
上記の構成によれば、受信部が上記信号を受信してから所定の時間は上記複数の処理のうちのひとつが実行されることが延期される。それゆえ、所望する受信部によって上記信号が受信されているかどうかをユーザに確認させる時間を設けることができる。
【００３０】
処理の中止を命じる中止信号を上記受信部において受信した場合に、上記制御手段は、上記複数の処理のうちのひとつを実行することを中止することが好ましい。
【００３１】
上記の構成により、制御手段は、中止信号を合図として、複数の処理のうちのひとつを実行することを中止できる。それゆえ、ユーザの意図しない受信部で信号が受信された場合に、その信号に基づく処理を中止することができる。
【００３２】
また、上記複数の受信部のうち、２つ以上の受信部によって同時に上記信号が受信されたと上記受信部検出手段が判断した場合に、上記制御手段は、上記複数の処理のうちのひとつを実行することを中止することが好ましい。
【００３３】
上記の構成によれば、上記信号を受信した受信部がひとつに決まらない場合には、送信された信号は無効とされる。それゆえ、ユーザの操作ミス等により、ユーザの意図に反した受信部が上記信号を受信することにより、所望されない処理が行われることを防止できる。
【００３４】
また、上記電子機器は、画面を有する表示部と、上記画面上に複数の表示領域を形成する分割表示制御手段とをさらに備え、上記制御手段は、上記検出結果と上記複数の表示領域のいずれかに画像を表示する処理とを対応付けることが好ましい。
【００３５】
上記の構成によれば、制御手段は、受信部検出手段の検出結果と、複数の表示領域のひとつに画像を表示する処理とを対応付ける。例えば、２つの表示領域ＡおよびＢが設定されている場合には、制御手段は、上記検出結果と、表示領域Ａに画像を表示する処理および表示領域Ｂに画像を表示する処理のいずれかとを対応付ける。
【００３６】
それゆえ、上記検出結果に基づいて、画像が表示される表示領域が決定される。したがって、携帯端末からの信号の送信方向を変えるという簡単な操作により画像の表示領域を選択できる。
【００３７】
なお、上記画像は、携帯端末から送信されるものであってもよいし、電子機器に保存されているものであってもよい。
【００３８】
また、上記信号を受信した受信部が配置されている側に位置する表示領域に画像が表示されることことが好ましい。
【００３９】
上記の構成により、携帯端末が向けられた方向に位置する表示領域に画像を表示することができる。それゆえ、画像の表示領域を直感的に選択できる。
【００４０】
また、上記信号には、画像データが含まれており、上記表示部は、上記画像データに基づく画像を表示することが好ましい。
【００４１】
上記の構成により、携帯端末から送信された画像データに基づく画像を表示部において表示できる。
【００４２】
また、上記分割表示制御手段は、上記表示部に表示される画像の数に応じて上記表示領域の数を変化させることが好ましい。
【００４３】
上記の構成により、表示部に表示される画像が多い場合には表示領域の数を増やし、表示部に表示される画像が少ない場合には表示領域の数を減らすことができる。それゆえ、表示部の表示領域を有効に利用できる。
【００４４】
また、上記信号には、当該信号を送信した携帯端末を識別するための携帯端末識別情報が含まれており、上記電子機器は、上記信号から上記携帯端末識別情報を抽出する識別情報抽出手段と、上記識別情報抽出手段によって抽出された携帯端末識別情報と特定の携帯端末識別情報とを比較する識別情報比較手段とをさらに備えることが好ましい。
【００４５】
上記の構成によれば、識別情報抽出手段は、携帯端末から送信された信号から携帯端末識別情報を抽出し、識別情報比較手段は、抽出された携帯端末識別情報と特定の携帯端末識別情報とを比較する。
【００４６】
それゆえ、受信した信号が、どの携帯端末から送信されたものであるかを識別することができる。したがって、例えば、特定の携帯端末から送信された信号のみに対して応答する構成を実現できる。
【００４７】
また、上記電子機器は、上記携帯端末を制御する複数種の制御信号を生成する制御信号生成手段と、上記制御信号を送信する送信部とをさらに備え、上記制御手段は、上記検出結果に基づいて、複数種の制御信号のうちのひとつを生成するよう上記制御信号生成手段へ指示を出すものであることが好ましい。
【００４８】
上記の構成によれば、携帯端末から送信された信号をどの受信部によって受信したかに基づいて、制御手段は、制御信号生成手段を介して、複数種の制御信号のうちのひとつを生成する。生成された制御信号が上記携帯端末に送信されることにより、当該携帯端末が制御される。
【００４９】
それゆえ、携帯端末から送信される信号の送信方向を変えるという簡単な操作によって当該携帯端末を間接的に制御できる。
【００５０】
また、上記複数種の制御信号は、上記携帯端末にデータを送信するように命じるものであり、上記制御信号の種類と上記携帯端末における上記データの送信様式とが対応付けられていることが好ましい。
【００５１】
上記の構成によれば、携帯端末から送信された信号をどの受信部によって受信したかに基づいて、携帯端末に保存されたデータを送信させるように当該携帯端末が制御される。そして、制御信号の種類を変えることにより、携帯端末から送信されるデータを変えることができる。
【００５２】
それゆえ、携帯端末から送信される信号の送信方向を変えるという簡単な操作によって当該携帯端末に特定のデータを送信させることができる。
【００５３】
なお、上記データの送信様式とは、特定の番号を有するデータを送信するものであってもよいし、順番に並べられているデータのうち、ある時点で選択されている（例えば表示されている）データの次のデータ（または前のデータ）を送信するものであってもよい。
【００５４】
また、上記データは画像データであり、上記電子機器は、上記画像データに基づく画像を表示する表示部をさらに備えることが好ましい。
【００５５】
上記の構成によれば、携帯端末から送信される信号に基づいて、携帯端末から送信される画像データが決定される。この画像データに基づく画像は、表示部によって表示される。
【００５６】
それゆえ、携帯端末から送信される信号の送信方向を変えるという簡単な操作によって携帯端末から送信される画像データを変更することができ、送信された画像データを表示部を用いて表示することができる。
【００５７】
したがって、ユーザは、簡単な操作で送信する画像データを選択でき、送信した画像を簡単に確認することができる。
【００５８】
また、上記複数の受信部は、無線受信部と複数の赤外線受信部とを含み、上記無線受信部は、上記携帯端末から送信された上記データを受信し、上記複数の赤外線受信部は、上記信号を受信することが好ましい。
【００５９】
上記の構成により、上記信号を、指向性を有する赤外線を媒体として受信することができ、上記データを、指向性を有さない無線を媒体として受信することができる。
【００６０】
それゆえ、上記信号を特定の受信部によって受信することが容易となるとともに、携帯端末の方向にかかわらず上記データを確実に受信することできる。
【００６１】
また、上記送信部は、複数配されており、上記制御信号は、上記信号を受信した受信部に最も近い位置にある上記送信部から送信されることが好ましい。
【００６２】
上記信号を送信した携帯端末は、上記信号を受信した受信部の方向を向いている可能性が高い。それゆえ、上記の構成により、制御信号をより確実に上記信号を送信した携帯端末に送信できる。
【００６３】
なお、受信部と送信部とが一体となり、通信手段として形成されている場合には、上記信号を受信した通信手段から制御信号が送信されようにすればよい。
【００６４】
また、上記電子機器は、画面を有する表示部をさらに備え、上記制御手段は、上記検出結果と上記画面上に表示されたカーソルの移動方向とを対応付けるものであることが好ましい。
【００６５】
上記の構成によれば、携帯端末から送信された信号をどの受信部によって受信したかに基づいて、制御手段は、画面上に表示されたカーソルの移動方向を決定する。それゆえ、携帯端末から送信される信号の送信方向を変えるという簡単な操作によって、画面上に表示されたカーソルの移動方向を指定することができる。
【００６６】
また、上記複数の受信部は、上記画面の周囲に配されており、上記制御手段は、上記信号を受信した受信部が配されている側へ上記カーソルを移動させるものであることが好ましい。
【００６７】
上記の構成により、上記信号を受信した受信部が配されている側へカーソルを移動させることができる。それゆえ、携帯端末を向けた方向へカーソルを移動させることができ、直感的にカーソルを移動させることができる。
【００６８】
また、上記電子機器は、画面を有する表示部をさらに備え、上記複数の受信部は、上記画面の周囲の上下左右の４箇所に配されており、上記制御手段は、上記検出結果に基づいて、上記画面上に表示されたカーソルを上下左右の４方向に移動させるものであり、上記制御手段は、上記画面の上側に配置された受信部で上記信号を受信した場合には、カーソルを上方向に移動させ、上記画面の下側に配置された受信部で上記信号を受信した場合には、カーソルを下方向に移動させ、上記画面の左側に配置された受信部で上記信号を受信した場合には、カーソルを左方向に移動させ、上記画面の右側に配置された受信部で上記信号を受信した場合には、カーソルを右方向に移動させることが好ましい。
【００６９】
上記の構成によれば、画面上に表示されたカーソルは、上記検出結果に基づいて、上下左右の４方向に移動する。そして、受信部は、画面の周囲の上下左右の４箇所に配されており、例えば画面の上側に配置された受信部で上記信号を受信した場合には、カーソルは上方向に移動する。
【００７０】
そのため、携帯端末から送信される信号の送信方向を変えることによりカーソルの移動方向を４方向のうちから選択することができ、直感的にカーソルを４方向に移動させることができる。
【００７１】
また、上記電子機器は、回数を計測する計測手段をさらに備え、上記制御手段は、上記検出結果に基づいて、上記受信部ごとに上記信号が受信された回数を計測するよう上記計測手段に命じるものであることが好ましい。
【００７２】
上記の構成によれば、受信部検出手段の検出結果に基づいて、受信部ごとに上記信号が受信された回数が計測される。
【００７３】
それゆえ、複数の受信部と投票先とを対応付けておけば、電子機器を投票装置として利用できる。その場合、ユーザは、携帯端末から送信される信号の送信方向を変えることにより投票先を選択することができる。
【００７４】
また、上記信号には、当該信号を送信した携帯端末を識別するための携帯端末識別情報が含まれており、上記信号から上記携帯端末識別情報を抽出する識別情報抽出手段と、上記識別情報抽出手段によって抽出された携帯端末識別情報と特定の携帯端末識別情報とを比較する識別情報比較手段とをさらに備えることが好ましい。
【００７５】
上記の構成によれば、識別情報抽出手段は、携帯端末から送信された信号から携帯端末識別情報を抽出し、識別情報比較手段は、抽出された携帯端末識別情報と特定の携帯端末識別情報とを比較する。それゆえ、受信した信号が、どの携帯端末から送信されたものであるかを識別することができる。
【００７６】
また、上記電子機器は、上記識別情報抽出手段によって抽出された携帯端末識別情報を記録するメモリをさらに備え、上記識別情報比較手段は、上記識別情報抽出手段によって携帯端末識別情報が抽出された場合に、当該携帯端末識別情報が既に上記メモリに記録されているものであるかどうかを判断することが好ましい。
【００７７】
上記の構成によれば、携帯端末からの信号を受信した場合に、識別情報比較手段は、当該信号に含まれている携帯端末識別情報が、メモリに既に記録されているものであるかどうかを判断する。それゆえ、ある携帯端末から複数回信号を受信したかどうかを判断できる。
【００７８】
したがって、上記電子機器を投票装置として利用する場合に、ある携帯端末から複数回投票が行われたかどうかを判断することができ、ある携帯端末から複数回投票が行われた場合に、その投票を無効にすることができる。
【００７９】
また、上記電子機器は、特定の方向から見ることができる画像を複数表示するマルチビュー表示部をさらに備え、上記制御手段は、上記検出結果と上記複数の画像のいずれかを表示する処理とを対応付けることが好ましい。
【００８０】
上記の構成によれば、携帯端末から送信された信号をどの受信部が受信したかに基づいて、マルチビュー表示部に表示される画像の表示処理の内容が決定される。
【００８１】
それゆえ、信号を送信した携帯端末の位置に応じてマルチビュー表示部に表示される画像の表示内容を変更することができるマルチビュー表示装置を実現できる。
【００８２】
なお、上記画像の表示処理の内容には、例えば、表示する画像の種類を変更することや動画の再生スピードを調節することが含まれる。
【００８３】
また、上記受信部が上記信号を受信できる方向の範囲である受信可能範囲と、上記マルチビュー表示部に表示される画像を見ることができる方向の範囲である可視範囲とは少なくとも一部重なっており、上記制御手段は、上記信号を受信した受信部の受信可能範囲と重なる可視範囲を有する画像の表示処理を行うことことが好ましい。
【００８４】
上記の構成によれば、複数の受信部のひとつが携帯端末から送信された信号を受信した場合、信号を送信した携帯端末の位置から見ることができる画像の表示処理が行われる可能性が高くなる。
【００８５】
それゆえ、マルチビュー表示部に表示される複数の画像のうち、その画像を見ることができる位置から送信された信号に基づいて、当該画像の表示処理を行うことができる。
【００８６】
本発明に係る携帯端末は、上記の課題を解決するために、自装置の制御を他装置に要求する操作要求信号を送信する送信部と、上記他装置から送信された制御信号を受信する受信部とを備え、受信した制御信号に基づいて動作することを特徴としている。
【００８７】
上記の構成によれば、操作要求信号を他装置に送信することにより、自装置の制御を他装置に委ねることができ、他装置から送信された制御信号に基づいて動作することが可能となる。それゆえ、他装置の制御下で動作することが好ましい場合に、他装置の制御下で携帯端末を動作させることができる。
【００８８】
また、上記制御信号は、データを送信することを命じるものであり、上記携帯端末は、受信した制御信号に基づいて特定のデータを他装置へ送信することが好ましい。
【００８９】
上記の構成によれば、上記携帯端末は、他装置から送信される制御信号に基づいて特定のデータを他装置へ送信する。それゆえ、他装置の制御下で携帯端末から他装置へデータを送信できる。
【００９０】
また、上記データは、画像データであることが好ましい。
【００９１】
上記の構成により、他装置の制御下で携帯端末から他装置へ画像データを送信できる。
【００９２】
また、上記制御信号には、携帯端末を識別するための携帯端末識別情報が含まれており、上記制御信号から上記携帯端末識別情報を抽出する識別情報抽出手段と、上記識別情報抽出手段によって抽出された携帯端末識別情報と特定の携帯端末識別情報とを比較する識別情報比較手段とをさらに備えることが好ましい。
【００９３】
上記の構成によれば、識別情報抽出手段は、制御信号から携帯端末識別情報を抽出し、識別情報比較手段は、抽出された携帯端末識別情報と自装置の携帯端末識別情報とを比較する。それゆえ、受信した信号が、自装置に対して送信されたものであるかどうかを識別することができる。
【００９４】
本発明に係るデータ送信システムは、上記の課題を解決するために、携帯端末から電子機器へデータを送信するデータ送信システムであって、上記携帯端末は、自装置の制御を上記電子機器に要求する操作要求信号を送信部から送信した後に、データを送信することを命じる制御信号を受信部で受信した場合に、受信した制御信号に基づいて、特定のデータを送信部から送信するものであり、上記電子機器は、上記携帯端末から送信された操作要求信号および上記特定のデータを受信する、所定の間隔をおいて配置された複数の受信部と、上記操作要求信号を受信した受信部を検出する受信部検出手段と、上記複数の受信部のうち、どの受信部が上記操作要求信号を受信したのかという上記受信部検出手段の検出結果に基づいて、上記携帯端末を制御する複数の制御信号のうちのひとつを生成する制御信号生成手段と、上記制御信号生成手段によって生成された制御信号を送信する送信部とを備えるものであることを特徴としている。
【００９５】
本発明に係るデータ送信システムは、上記の課題を解決するために、携帯端末から電子機器へデータを送信するデータ送信システムであって、上記携帯端末は、自装置の制御を上記電子機器に要求する操作要求信号を送信部から送信した後に、データを送信することを命じる制御信号を受信部で受信した場合に、受信した制御信号に基づいて、特定のデータを送信部から送信するものであり、上記電子機器は、上記携帯端末から送信された操作要求信号および上記特定のデータを受信する、複数の受信部と、上記操作要求信号を受信した受信部を検出する受信部検出手段と、上記複数の受信部のうち、どの受信部が上記操作要求信号を受信したのかという上記受信部検出手段の検出結果に基づいて、上記携帯端末を制御する複数の制御信号のうちのひとつを生成する制御信号生成手段と、上記制御信号生成手段によって生成された制御信号を送信する送信部とを備えるものであり、上記複数の受信部は、それぞれ異なる方向から送信された信号を受信することを特徴としている。
【００９６】
上記の構成によれば、携帯端末から電子機器へ操作要求信号が送信されると、当該操作要求信号は、電子機器が備える複数の受信部のいずれかによって受信される。受信部検出手段は、操作要求信号を受信した受信部を検出し、どの受信部が操作要求信号を受信したのかという受信部検出手段の検出結果に基づいて、制御信号生成手段は、複数の制御信号のうちのひとつを生成する。そして、電子機器は、生成された制御信号を携帯端末へ送信する。
【００９７】
制御信号を受け取ると、携帯端末は、受信した制御信号に基づいて、特定のデータを電子機器へ送信する。電子機器は、この特定のデータを受信する。
【００９８】
それゆえ、操作要求信号をどの受信部によって受信したかによって、制御信号を変更することができる。したがって、携帯端末を向ける方向を変えるという簡単な操作により、携帯端末から電子機器へ送信するデータを変更できる。
【００９９】
なお、上記電子機器が備える各手段を、コンピュータによって実現してもよく、この場合には、コンピュータを上記各手段として動作させることにより電子機器を実現する電子機器の動作プログラムおよびそれを記憶したコンピュータ読み取り可能な記録媒体も本発明の範疇に入る。
【発明の効果】
【０１００】
本発明に係る電子機器は、以上のように、携帯端末から送信された信号を受信する複数の受信部と、上記信号を受信した受信部を検出する受信部検出手段と、上記複数の受信部のうち、どの受信部が上記信号を受信したのかという上記受信部検出手段の検出結果と複数の処理のうちのひとつとを対応付ける制御手段とを備える構成である。
【０１０１】
本発明に係る電子機器は、以上のように、携帯端末から送信された信号を受信する複数の受信部と、上記信号を受信した受信部を検出する受信部検出手段と、上記複数の受信部のうち、どの受信部が上記信号を受信したのかという上記受信部検出手段の検出結果と複数の処理のうちのひとつとを対応付ける制御手段とを備え、上記複数の受信部は、それぞれ異なる方向から送信された信号を受信する構成である。
【０１０２】
それゆえ、携帯端末から送信される信号の送信方向を変えるという簡単な操作により複数の処理のうちのひとつを選択できる。したがって、簡単に遠隔操作できる電子機器を実現できるという効果を奏する。
【０１０３】
本発明に係る携帯端末は、以上のように、自装置の制御を他装置に要求する操作要求信号を送信する送信部と、上記他装置から送信された制御信号を受信する受信部とを備え、受信した制御信号に基づいて動作する構成である。
【０１０４】
それゆえ、自装置の制御を他装置に委ね、他装置の制御下で動作できる携帯端末を実現できるという効果を奏する。
【０１０５】
本発明に係るデータ送信システムは、以上のように、携帯端末は、自装置の制御を電子機器に要求する操作要求信号を送信部から送信した後に、データを送信することを命じる制御信号を受信部で受信した場合に、受信した制御信号に基づいて、特定のデータを送信部から送信するものであり、上記電子機器は、上記携帯端末から送信された操作要求信号および上記特定のデータを受信する、所定の間隔をおいて配置された複数の受信部と、上記操作要求信号を受信した受信部を検出する受信部検出手段と、上記複数の受信部のうち、どの受信部が上記操作要求信号を受信したのかという上記受信部検出手段の検出結果に基づいて、上記携帯端末を制御する複数の制御信号のうちのひとつを生成する制御信号生成手段と、上記制御信号生成手段によって生成された制御信号を送信する送信部とを備える構成である。
【０１０６】
本発明に係るデータ送信システムは、以上のように、携帯端末は、自装置の制御を電子機器に要求する操作要求信号を送信部から送信した後に、データを送信することを命じる制御信号を受信部で受信した場合に、受信した制御信号に基づいて、特定のデータを送信部から送信するものであり、上記電子機器は、上記携帯端末から送信された操作要求信号および上記特定のデータを受信する複数の受信部と、上記操作要求信号を受信した受信部を検出する受信部検出手段と、上記複数の受信部のうち、どの受信部が上記操作要求信号を受信したのかという上記受信部検出手段の検出結果に基づいて、上記携帯端末を制御する複数の制御信号のうちのひとつを生成する制御信号生成手段と、上記制御信号生成手段によって生成された制御信号を送信する送信部とを備えるものであり、上記複数の受信部は、それぞれ異なる方向から送信された信号を受信する構成である。
【０１０７】
それゆえ、操作要求信号をどの受信部によって受信したかによって、制御信号を変更することができ、携帯端末を向ける方向を変えるという簡単な操作により、携帯端末から電子機器へ送信するデータを変更できる。
【発明を実施するための最良の形態】
【０１０８】
〔実施の形態１〕
本発明の実施の一形態について図１〜図１３に基づいて説明すれば、以下のとおりである。以下では、電子機器の一例として、２つの赤外線通信部を備えている表示装置１を挙げて説明する。
【０１０９】
（１．携帯電話２および表示装置１の外観）
図２は、本実施形態の表示装置１に画像データ等を送信する携帯電話２（携帯端末）の外観を示す概略図である。図３は、本実施形態の表示装置１の外観を示す概略図である。
【０１１０】
携帯電話２（携帯端末）は、図２に示すように、表示装置１と赤外線通信をするための赤外線通信部２ａ（受信部、送信部）、ディスプレイ２ｂ（表示部、報知部）、複数の操作キー（操作部）２ｃ、アンテナ２ｄを備えている。
【０１１１】
赤外線通信部２ａは、表示装置１との赤外線通信を行うものである。この赤外線通信部２ａは、携帯電話２の先端部に設けられている。
【０１１２】
表示装置１は、図３に示すように、第１赤外線通信部１ａ、第２赤外線通信部１ｂ、ディスプレイ１ｃ、スピーカー１ｄを備えている。
【０１１３】
第１赤外線通信部１ａおよび第２赤外線通信部１ｂ（受信部、送信部）は、携帯電話２との赤外線通信を行うものである。第１および第２赤外線通信部１ａ・１ｂは、表示装置１の前面に設けられており、ディスプレイ１ｃの左端と右端とに配置されている。すなわち、第１および第２赤外線通信部１ａ・１ｂは、所定の間隔をおいて配置されている。
【０１１４】
ここで、ディスプレイ１ｃを左右に分ける基準線８を引いた場合に、第１および第２赤外線通信部１ａ・１ｂは、この基準線８を境としてそれぞれ左側と右側とに配置されている。このように、第１および第２赤外線通信部１ａ・１ｂは、ある基準線を境に左側と右側とに配置されていればよく、第１および第２赤外線通信部１ａ・１ｂの位置は図３に示すものに限定されない。例えば、第１赤外線通信部１ａをディスプレイ１ｃの左上に配置し、第２赤外線通信部１ｂを図３に示すように右下に配置しても構わない。この場合でも、第１および第２赤外線通信部１ａ・１ｂは、基準線８を境としてそれぞれ左側と右側とに配置されている。
【０１１５】
また、ディスプレイ１ｃを上下に分ける基準線、すなわち、基準線８に直交する線を引いた場合に、第１および第２赤外線通信部１ａ・１ｂは、この基準線を境としてそれぞれ上側と下側とに配置される構成にしてもよい。
【０１１６】
（２．携帯電話２の構成）
次に、携帯電話２の内部構成について、図４〜図６を参照しつつ説明する。図４は、携帯電話２の構成を示す概略図である。
【０１１７】
図４に示すように、携帯電話２は、上記の構成に加え、受信信号解析部２ｅ、送信信号生成部２ｆ、表示制御部２ｇ、メモリ２ｈ、メモリ制御部２ｉ、主制御部２ｊを備えている。なお、図４では、アンテナ２ｄは省略してある。
【０１１８】
赤外線通信部２ａは、受信した信号を後述する受信信号解析部２ｅの携帯端末識別情報抽出部２ｋおよび受信信号判断部２ｍへ出力するものである。
【０１１９】
受信信号解析部２ｅは、赤外線通信部２ａが受信した信号を解析するものである。図５は、受信信号解析部２ｅの構成を示す概略図である。
【０１２０】
受信信号解析部２ｅは、図５に示すように、携帯端末識別情報抽出部２ｋ（識別情報抽出手段）、携帯端末識別情報比較部２ｌ（識別情報比較手段）、受信信号判断部２ｍを備えている。
【０１２１】
携帯端末識別情報抽出部２ｋ（以下、識別情報抽出部２ｋ）は、赤外線通信部２ａから出力された信号から携帯端末識別情報を抽出するものである。識別情報抽出部２ｋは、抽出した携帯端末識別情報を識別情報比較部２ｌへ出力する。
【０１２２】
携帯端末識別情報比較部２ｌ（以下、識別情報比較部２ｌ）は、抽出された携帯端末識別情報と携帯電話２が有する携帯端末識別情報とを比較するものである。携帯電話２の携帯端末識別情報は、識別情報比較部２ｌが有するメモリ（不図示）に保存されている。識別情報比較部２ｌは、比較結果を受信信号判断部２ｍへ出力する。
【０１２３】
受信信号判断部２ｍは、識別情報比較部２ｌの比較結果および赤外線通信部２ａが受信した信号の内容を判断するものである。受信信号判断部２ｍは、携帯端末識別情報を送信信号生成部２ｆへ出力するとともに、受信信号を主制御部２ｊへ出力する。
【０１２４】
送信信号生成部２ｆは、主制御部２ｊからの信号生成命令に基づいて、データ送信要求信号、データ送信完了信号、無効要求信号を生成するものである。データ送信要求信号は、画像データを送信する許可を表示装置１に求めるための信号である。データ送信完了信号は、画像データの送信が完了したことを伝えるための信号である。無効要求信号は、携帯電話２から送信された信号および画像データが無効であることを伝達するための信号である。
【０１２５】
これらの信号には、携帯電話２の携帯端末識別情報が付加されている。携帯端末識別情報は、例えばヘッダ情報としてデータ送信要求信号に付加される。この携帯端末識別情報は、送信信号生成部２ｆが備えるメモリ（不図示）に保存されている。
【０１２６】
表示制御部２ｇは、ディスプレイ２ｂの動作を制御するものである。
【０１２７】
メモリ２ｈは、画像データなどを保存する記憶媒体である。図６は、メモリ２ｈに保存されている画像データを示す概略図である。図６に示すように、メモリ２ｈには複数の画像データが保存されており、各画像データには通し番号が付されている。図６には、一例として１〜６の番号が付された画像データが示されている。画像データの順番は保存された順番でも、ファイル名の５０音順でも、データ容量順でもよい。
【０１２８】
メモリ制御部２ｉは、メモリ２ｈに対するデータの書き込みおよび読出しを行うものである。
【０１２９】
主制御部２ｊは、上記各部の動作を制御するものである。
【０１３０】
（３．表示装置１の構成）
次に、表示装置１の内部構成について、図１および図７〜９を参照しつつ説明する。図７は、表示装置１の構成を示す概略図である。
【０１３１】
図７に示すように、表示装置１は、上記の構成に加えて、受信信号解析部１ｅ、送信信号生成部１ｆ、表示制御部１ｇ（分割表示制御手段）、メモリ１ｈ、メモリ制御部１ｉ、主制御部１ｊ（制御手段）、時間を計るタイマー１ｋを備えている。なお、図７では、スピーカー１ｄは省略してある。
【０１３２】
第１赤外線通信部１ａおよび第２赤外線通信部１ｂは、受信した信号を後述する受信信号解析部１ｅの受信通信部判定部１ｌへ出力するものである。
【０１３３】
受信信号解析部１ｅは、第１赤外線通信部１ａおよび第２赤外線通信部１ｂが受信した信号を解析するものである。図１は、受信信号解析部１ｅの構成を示す概略図である。
【０１３４】
受信信号解析部１ｅは、図１に示すように、受信通信部判定部１ｌ（受信部検出手段）、携帯端末識別情報抽出部１ｍ（識別情報抽出手段）を備えている。
【０１３５】
受信通信部判定部１ｌは、第１赤外線通信部１ａおよび第２赤外線通信部１ｂの出力信号からどちらの赤外線通信部が当該信号を受信したかを判定するものである。受信通信部判定部１ｌは、その判定結果を主制御部１ｊへ、赤外線通信部からの出力信号を識別情報抽出部１ｍへ出力する。
【０１３６】
携帯端末識別情報抽出部１ｍ（以下、識別情報抽出部１ｍ）は、受信通信部判定部１ｌの出力信号から携帯端末識別情報を抽出し、抽出した携帯端末識別情報を送信信号生成部１ｆに出力するものである。
【０１３７】
送信信号生成部１ｆは、携帯電話２に送信するデータ送信許可信号およびデータ受信完了信号を生成するものである。データ送信許可信号は携帯電話２に画像データの送信を許可するための信号である。データ受信完了信号は、携帯電話２から送信された画像データの受信が完了したことを伝達するための信号である。上記の信号の生成は、主制御部１ｊからの信号生成命令に基づいて行われる。また、送信信号生成部１ｆは、生成した信号に、識別情報抽出部１ｍから出力された携帯端末識別情報を付加する。
【０１３８】
メモリ１ｈは、画像データなどを保存する記憶媒体である。メモリ１ｈは、メモリ領域Ａおよびメモリ領域Ｂを備えている（不図示）。メモリ領域Ａ３は、ディスプレイ１ｃの第１表示領域５に表示される画像の画像データを保存するための領域であり、メモリ領域Ｂ４は、第２表示領域６に表示される画像の画像データを保存するための領域である。
【０１３９】
図８には、メモリ領域Ａ３およびＢ４に保存される画像データの例が示されている。同図において、画像データＡを第１赤外線通信部１ａへ送信した後に、画像データＢを第２赤外線通信部１ｂへ送信し、続いて画像データＣを第２赤外線通信部１ｂへ、画像データＤを第１赤外線通信部１ａへ送信した場合の各メモリ領域の状態が示されている。
【０１４０】
メモリ制御部１ｉは、メモリ２ｈに対するデータの書き込みおよび読出しを行うものである。
【０１４１】
表示制御部１ｇは、ディスプレイ１ｃの動作を制御することにより、メモリ１ｈに保存された画像データをディスプレイ１ｃに表示するものである。図９は、図８のメモリ２ｈの状態に対応する、ディスプレイ１ｃの表示様式を示す概略図である。
【０１４２】
図９（ａ）に示すように、表示制御部１ｇは、メモリ領域Ａ３に保存された画像データに基づく画像を、ディスプレイ１ｃの第１表示領域５に表示し、メモリ領域Ｂ４に保存された画像データに基づく画像を第２表示領域６に表示する。
【０１４３】
また、図９（ｂ´）に示すように、表示する画像が一つの場合には、画面全体に当該画像を表示してもよい。
【０１４４】
（４-１．携帯電話２における処理の流れ）
次に、携帯電話２に保存されている複数の画像データを表示装置１へ送信する場合に携帯電話２において行われる処理の流れについて、図１０を参照しつつ説明する。図１０は、携帯電話２における処理の流れを示すフローチャートである。
【０１４５】
図１０に示すように、まず、ユーザによって画像送信モード設定キー（不図示）が押されたことを検出すると、主制御部２ｊは、自らが備えるカウンター（不図示）にＮ＝１を設定する（Ｓ１）。
【０１４６】
主制御部２ｊは、メモリ制御部２ｉを介して、メモリ２ｈからデータ番号１の画像データを読み出した後、表示制御部２ｇを介して、ディスプレイ２ｂにデータ番号１の画像を表示させる（Ｓ２）。
【０１４７】
主制御部２ｊは、ユーザによって画像送信キー（不図示）が押されたことを検出すると（Ｓ３にてＹＥＳ）、送信信号生成部２ｆにデータ送信要求信号を生成することを命じる信号生成命令を出力する。
【０１４８】
この信号生成命令を受け取ると、送信信号生成部２ｆは、データ送信要求信号を生成し、この信号を赤外線通信部２ａへ出力する。
【０１４９】
データ送信要求信号を受け取ると、赤外線通信部２ａは、その信号を赤外線信号に変調して表示装置１へ送信する（Ｓ４）。
【０１５０】
表示装置１からデータ送信許可信号を受信すると（Ｓ５）、赤外線通信部２ａは、この信号を受信信号解析部２ｅへ出力する。受信信号解析部２ｅにおいて、データ送信許可信号からの携帯端末識別情報の抽出と識別のための処理（図１１参照）が行われる。この処理の詳細については後述する。
【０１５１】
抽出された携帯端末識別情報と携帯電話２の携帯端末識別情報とが一致した場合には、受信信号解析部２ｅは、携帯端末識別情報が一致したことを示す一致情報およびデータ送信許可信号を主制御部２ｊへ出力する。
【０１５２】
一致情報およびデータ送信許可信号を受け取ると、主制御部２ｊは、メモリ制御部２ｉを介してメモリ２ｈからデータ番号１の画像データを取得し、この画像データを送信信号生成部２ｆへ出力する。
【０１５３】
送信信号生成部２ｆは、上記画像データに携帯端末識別情報を付加することにより送信用画像データを生成し、赤外線通信部２ａへ出力する。
【０１５４】
送信用画像データを受け取ると、赤外線通信部２ａは、当該送信用画像データを赤外線信号に変調し、表示装置１へ送信する（Ｓ６）。
【０１５５】
この送信を終えると、主制御部２ｊは、送信信号生成部２ｆにデータ送信完了信号を生成させ、この信号を赤外線通信部２ａから表示装置１へ送信させる（Ｓ７）。
【０１５６】
この送信を終えると、主制御部２ｊは、画像送信キーが押されたままであるかどうかを検出する（Ｓ８）。押されたままであれば（Ｓ８にてＮＯ）、データ受信完了信号を受信するまで待機する。
【０１５７】
データ受信完了信号を受信すると（Ｓ９）、赤外線通信部２ａは、この信号を受信信号解析部２ｅへ出力する。受信信号解析部２ｅにおいて、データ受信完了信号からの携帯端末識別情報の抽出と識別のための処理（図１１参照）が行われる。この処理の詳細については後述する。
【０１５８】
抽出された携帯端末識別情報と携帯電話２の携帯端末識別情報とが一致した場合には、受信信号解析部２ｅは、携帯端末識別情報が一致したことを示す一致情報およびデータ受信完了信号を主制御部２ｊへ出力する。
【０１５９】
一致情報およびデータ受信完了信号を受け取ると、主制御部２ｊは、カウンターに１を追加し、Ｎ＝２とする（Ｓ１０）。
【０１６０】
そして、主制御部２ｊは、表示制御部２ｇを介して、ディスプレイ２ｂにデータ番号２の画像を表示させる（Ｓ２へ戻る）。
【０１６１】
一方、画像送信キーが離されたことを検出すると（Ｓ８にてＹＥＳ）、主制御部２ｊは、無効要求信号（中止信号）を生成することを命じる信号生成命令を送信信号生成部２ｆへ出力する。
【０１６２】
この信号生成命令を受け取ると、送信信号生成部２ｆは、携帯端末識別情報が付加された無効要求信号を生成し、この信号を赤外線通信部２ａへ出力する。
【０１６３】
無効要求信号を受け取ると、赤外線通信部２ａは、その信号を赤外線信号に変調して表示装置１へ送信する（Ｓ１１）。
【０１６４】
このように、ユーザは、意図した赤外線通信部へデータ送信要求信号を送信できた場合は、画像送信キーをずっと押し続けることで画像データを送信でき、そうでない場合には、画像送信キーを離すことで当該処理を無効にできる。
【０１６５】
そして、主制御部２ｊは、表示制御部２ｇを介して、ディスプレイ２ｂに再びデータ番号１の画像を表示させる（Ｓ２へ戻る）。
【０１６６】
そして、画像送信キーが押されずに（Ｓ３にてＮＯ）、送信終了キー（不図示）が押されたことを検出すると（Ｓ１２にてＹＥＳ）、主制御部２ｊは、送信信号生成部２ｆおよび赤外線通信部２ａを介して、送信終了信号を表示装置１へ送信し（Ｓ１３）、一連の処理を終了する。
【０１６７】
なお、上記の説明では、画像送信キーが離されたかどうかの判定は、データ送信完了信号を送信した後に行われている。しかし、画像送信キーが押されてからデータ受信完了信号を受信するまでの間、随時上記判定を行ってもよい。
【０１６８】
（４-２．携帯電話２における処理のサブルーチン）
次に、受信信号中の携帯端末識別情報を抽出し、登録されている携帯端末識別情報と比較判定を行う受信処理のサブルーチンについて、図１１を参照しつつ説明する。図１１は、携帯電話２における処理のサブルーチンを示すフローチャートである。
【０１６９】
このサブルーチンは、表示装置１から送信された、データ送信許可信号およびデータ受信完了信号を携帯電話２が受信する場合のルーチンである。以下では、データ送信許可信号およびデータ受信完了信号を単に受信信号と称して説明を行う。
【０１７０】
図１１に示すように、まず、赤外線通信部２ａによって受信信号が受信されると（Ｓ２１にてＹＥＳ）、赤外線通信部２ａは、受信信号を識別情報抽出部２ｋへ出力する。
【０１７１】
受信信号を受け取ると、識別情報抽出部２ｋは、受信信号から携帯端末識別情報を抽出し、抽出された情報を識別情報比較部２ｌへ出力する。
【０１７２】
携帯端末識別情報を受け取ると、識別情報比較部２ｌは、当該携帯端末識別情報と携帯電話２の携帯端末識別情報とを比較する（Ｓ２２）。
【０１７３】
携帯端末識別情報が一致していると判断した場合、すなわち受信信号が自装置宛のものである場合には（Ｓ２２にてＹＥＳ）、識別情報比較部２ｌは、一致情報、携帯端末識別情報、および受信信号を受信信号判断部２ｍへ出力する。
【０１７４】
一致情報および受信信号を受け取ると、受信信号判断部２ｍは、受信信号の情報（内容）を判断し（Ｓ２３）、携帯端末識別情報を送信信号生成部２ｆへ出力するとともに、一致情報および受信信号を主制御部２ｊへ出力する。
【０１７５】
一方、携帯端末識別情報が一致していない場合には（Ｓ２２にてＮＯ）、識別情報比較部２ｌは、新たな受信信号を受信するまで待機する（Ｓ２１に戻る）。
【０１７６】
（５−１．表示装置１における処理の流れ）
次に、携帯電話２に保存されている複数の画像データを表示装置１へ送信する場合に表示装置１において行われる処理の流れについて、図１２〜図１３を参照しつつ説明する。図１２は、表示装置１における処理の流れを示すフローチャートである。
【０１７７】
図１２に示すように、まず、主制御部１ｊは、メモリ制御部１ｉを介して、メモリ１ｈをリセットする（Ｓ３１）。
【０１７８】
携帯電話２から送信されたデータ送信要求信号を受信すると（Ｓ３２）、第１赤外線通信部１ａまたは第２赤外線通信部１ｂは、その信号を受信通信部判定部１ｌへ出力する。
【０１７９】
データ送信要求信号を受け取ると、受信通信部判定部１ｌは、その信号が第１赤外線通信部１ａと第２赤外線通信部１ｂとの両方によって受信されたものかどうかを判定する（Ｓ３３）。
【０１８０】
データ送信要求信号が両方の赤外線通信部によって受信されたと判定すると（Ｓ３３にてＹＥＳ）、受信通信部判定部１ｌは、特定不能情報を主制御部１ｊへ出力する。
【０１８１】
特定不能情報を受け取ると、主制御部１ｊは、赤外線通信部を特定できない旨を
表示制御部１ｇを介してディスプレイ１ｃに表示し（Ｓ３４）、新たなデータ送信要求信号を受け取るまで待機する（Ｓ３２に戻る）。
【０１８２】
一方、データ送信要求信号が第１赤外線通信部１ａまたは第２赤外線通信部１ｂのいずれかによって受信されたものであると判定すると（Ｓ３３にてＮＯ）、受信通信部判定部１ｌは、データ送信要求信号が第１赤外線通信部１ａによって受信されたものかどうかを判定する（Ｓ３５）。
【０１８３】
第１赤外線通信部１ａによって受信されたものであると判定すると（Ｓ３５にてＹＥＳ）、受信通信部判定部１ｌは、その判定結果を示す第１特定情報を主制御部１ｊへ出力する。
【０１８４】
第１特定情報を受け取ると、主制御部１ｊは、データ送信許可信号を生成し第１赤外線通信部１ａから送信することを命じる信号生成命令を送信信号生成部１ｆへ出力する。
【０１８５】
この信号生成命令を受け取ると、送信信号生成部１ｆは、データ送信許可信号を生成し、その信号を第１赤外線通信部１ａへ出力する。
【０１８６】
データ送信許可信号を受け取ると第１赤外線通信部１ａは、その信号を赤外線信号に変調して携帯電話２へ送信する（Ｓ３６ａ）。
【０１８７】
この送信を終えると、主制御部１ｊは、タイマー１ｋを用いて時間Ｔの計時を開始する（Ｓ３７ａ）。また、主制御部１ｊは、データ送信要求信号を第１赤外線通信部１ａにて受信した旨を表示制御部１ｇを介してディスプレイ１ｃに表示する（Ｓ３８ａ）。
【０１８８】
図１３に、データ送信要求信号を第１赤外線通信部１ａにて受信した旨が表示されたディスプレイ１ｃの概略図を示す。図１３に示すように、「データ転送中」という文字を第１赤外線通信部１ａに近い側（左側）の表示領域に表示してもよいし、「領域１データ転送中」という文字を適当な位置に表示してもよい。また、背景画面を変えたり、画面を点滅させたりしてもよい。
【０１８９】
上記時間Ｔは、意図どおりの赤外線通信部にデータ送信要求信号を送信できたかどうかをユーザに確認させるための時間（赤外線通信部確認時間）である。意図どおりでなかった場合には、ユーザは、無効要求信号を送信することにより処理を中止させることができる（Ｓ１１、図１０参照）。なお、時間Ｔは、数秒程度に設定すればよい。
【０１９０】
図１２に示すように、携帯電話２から送信された画像データを受信すると（Ｓ３９ａ）、第１赤外線通信部１ａまたは第２赤外線通信部１ｂは、その画像データを主制御部１ｊへ出力する。
【０１９１】
上記画像データを受け取ると、主制御部１ｊは自らが備える一時記憶メモリ（不図示）に当該画像データを保存する。
【０１９２】
さらに、携帯電話２から送信されたデータ送信完了信号を受信すると（Ｓ４０ａ）、第１赤外線通信部１ａまたは第２赤外線通信部１ｂは、その信号を主制御部１ｊへ出力する。
【０１９３】
データ送信完了信号を受け取ると、主制御部１ｊは、時間Ｔが経過したかどうかを判断する（Ｓ４１ａ）。
【０１９４】
時間Ｔが経過していないと判断した場合には（Ｓ４１ａにてＮＯ）、主制御部１ｊは、時間Ｔが経過するまで待機する。
【０１９５】
時間Ｔが経過したと判断した場合には（Ｓ４１ａにてＹＥＳ）、主制御部１ｊは、送信信号生成部１ｆにデータ受信完了信号を生成させ、第１赤外線通信部１ａから携帯電話２へ送信させる（Ｓ４３ａ）。
【０１９６】
さらに、主制御部１ｊは、メモリ制御部１ｉを介して、受信した画像データをメモリ１ｈのメモリ領域Ａに上書き保存する（Ｓ４４ａ）。
【０１９７】
その後、主制御部１ｊは、表示制御部１ｇを介して、上記画像データに基づく画像をディスプレイ１ｃの第１表示領域に表示する（Ｓ４５ａ）。
【０１９８】
そして、携帯電話２から送信終了信号を受信すると（Ｓ４７にてＹＥＳ）、主制御部１ｊは、一連の処理を終了する。
【０１９９】
一方、送信終了信号を受信しなかった場合には（Ｓ４７にてＮＯ）、主制御部１ｊは、新たなデータ送信要求信号を受信するまで待機する（Ｓ３２に戻る）。
【０２００】
なお、上記処理の途中で無効要求信号を受信した場合には（Ｓ４２ａにてＹＥＳ）、第１赤外線通信部１ａまたは第２赤外線通信部１ｂは、その信号を主制御部１ｊへ出力する。
【０２０１】
無効要求信号を受け取ると、主制御部１ｊは、表示制御部１ｇを介して、画像の表示を中止することをディスプレイ１ｃに表示し（Ｓ４６ａ）、新たなデータ送信要求信号を受信するまで待機する（Ｓ３２に戻る）。
【０２０２】
一方、データ送信要求信号が第１赤外線通信部１ａによって受信されたものでないと判定すると（Ｓ３５にてＮＯ）、受信通信部判定部１ｌは、その判定結果を示す第２特定情報を主制御部１ｊへ出力する。
【０２０３】
第２特定情報を受け取ると、主制御部１ｊは、データ送信許可信号を生成し第２赤外線通信部１ｂから送信することを命じる信号生成命令を送信信号生成部１ｆへ出力する。
【０２０４】
この信号生成命令を受け取ると、送信信号生成部１ｆは、データ送信許可信号を生成し、その信号を第２赤外線通信部１ｂへ出力する。
【０２０５】
データ送信許可信号を受け取ると第２赤外線通信部１ｂは、その信号を赤外線信号に変調して携帯電話２へ送信する（Ｓ３６ｂ）。
【０２０６】
これ以降の処理の流れは、上記のものと同様のため省略する。
【０２０７】
（５−２．携帯端末識別情報の処理）
なお、表示装置１は、受信した各種の信号から携帯端末識別情報を抽出することにより、当該信号がどの携帯電話２から送信されたものかを識別している。また、表示装置１は、送信する各種の信号に送信先の携帯電話２の携帯端末識別情報を付加している。この携帯端末識別情報に関する処理の流れについて以下に説明する。
【０２０８】
まず、第１赤外線通信部１ａまたは第２赤外線通信部１ｂが信号を受信すると、その信号は、受信通信部判定部１ｌを経て識別情報抽出部１ｍへ送られる。
【０２０９】
識別情報抽出部１ｍは、当該信号から携帯端末識別情報を抽出し、送信信号生成部１ｆへ出力する。
【０２１０】
携帯端末識別情報を受け取ると、送信信号生成部１ｆは、その情報を自らが備える一時記憶メモリ（不図示）に保存する。送信信号生成部１ｆは、主制御部１ｊから各種の信号生成命令を受け取ると、生成した信号に上記携帯端末識別情報を付加する。そして、この信号を第１赤外線通信部１ａまたは第２赤外線通信部１ｂへ出力する。
【０２１１】
（６．効果）
次に、表示装置１および携帯電話２の効果について、図１４〜図１５を参照しつつ説明する。図１４は、携帯電話２から表示装置１へ画像データを送信する場合のシーケンスを示す図である。図１５は、携帯電話２から表示装置１へ画像データを送信する処理を途中で中止する場合のシーケンスを示す図である。
【０２１２】
表示装置１へデータ送信要求信号を送信する場合に、携帯電話２は、第１赤外線通信部１ａまたは第２赤外線通信部１ｂのどちらか一方に送信する。図１４には、第１赤外線通信部１ａにデータ送信要求信号を送信した場合の処理の流れが示されている。
【０２１３】
図１４に示すように、携帯電話２から表示装置１へデータ送信要求信号が送信された後に、携帯電話２から表示装置１へ画像データが送信される。このとき、第１赤外線通信部１ａでデータ送信要求信号および画像データを受け取ると、表示装置１は、第１赤外線通信部１ａに近い方の表示領域である第１表示領域５に、送信された画像を表示する。
【０２１４】
そのため、ユーザは携帯電話２を向ける方向を選択することにより、画像の表示領域を選択できる。これにより、直感的に表示装置１を操作できる。
【０２１５】
また、データ送信許可信号を送信してから、所定時間（時間Ｔ）は受信した画像データを表示することを停止している。この時間（赤外線通信部確認時間）を設けることにより、意図した赤外線通信部によってデータ送信要求信号が受信されたかどうかをユーザに確認させることができる。
【０２１６】
また、図１５に示すように、携帯電話２から無効要求信号を送信することにより表示装置１における処理を中断させることができる。この構成により、例えば、ユーザの意図した赤外線通信部によってデータ送信要求信号が受信されなかった場合に、それ以降の処理を無効とすることができる。
【０２１７】
上述の説明では、携帯電話２は、画像送信キーが途中で離されたことを指標にして無効要求信号を送信していた。しかし、当該キーを再度押すことにより無効要求信号を送信してもよいし、別のキーが押されたことを指標にして無効要求信号を送信してもよいし。
【０２１８】
（７．変更例）
データ送信要求信号を受信する場合は、第１赤外線通信部１ａまたは第２赤外線通信部１ｂのどちらか一方で受信するが、画像データを受信するときは両方の赤外線通信部で受信してもよい。また、データ送信要求信号以外の信号は赤外線通信以外の通信方式、例えば無線方式、で送受信してもよい。
【０２１９】
受信通信部判定部１ｌの判定結果を報知する方法は、特に限定されない。例えば、ディスプレイ１ｃに文字として表示してもよいし、スピーカー１ｄから音声出力してもよい。
【０２２０】
上述した画像送信モード設定キー、画像送信キー、送信終了キーは、携帯電話２が有する複数の操作キー２ｃのうち、どのキーを割り当ててもよい。例えば、押しやすい決定キーやサイドキーを割り当ててもいいし、どのキーが押されても反応するようにしてもよい。
【０２２１】
ディスプレイ１ｃの表示領域の数は２つに限定されず、いくつでもよい。また、上記の構成では、第１表示領域５および第２表示領域６は、基準線８を境として左右に配置されているが、第１表示領域５および第２表示領域６は、基準線８に直交する線を境として上下に配置されていてもよい。
【０２２２】
また、第１表示領域５および第２表示領域６がそれぞれ２つの表示領域を含んでいてもよい。この場合、合計４つの表示領域が存在することになるが、第１赤外線通信部１ａでデータ送信要求信号を受信した場合に基準線８を境として左側の表示領域に画像を表示し、第２赤外線通信部１ｂでデータ送信要求信号を受信した場合に基準線８を境として右側の表示領域に画像を表示してもよい。
【０２２３】
複数の携帯電話２から表示装置１へ画像データが送られる場合に、送信された画像とにその携帯電話２を示す情報（例えばその携帯電話２の所有者の名前など）を一緒に表示してもよい。ＬＥＤなどで報知するときは、所有者に応じて光る色を変えてもよいし、光るパターンを変えてもよい。
【０２２４】
上述の構成では、携帯電話２は、データ送信要求信号を送信した後に、画像データを送信しているが、データ送信要求信号を送信せずに画像データを送信してもよい。この場合には、受信通信部判定部１ｌは、画像データがどの赤外線通信部によって受信されたかを判定する。
【０２２５】
〔実施の形態２〕
本発明の他の実施形態について図１６〜図２４に基づいて説明すれば、以下のとおりである。なお、上述した実施形態１と同様の部材には、同一の符号を付し、その説明を省略する。以下では、電子機器の一例として表示装置１０を例に挙げて説明する。
【０２２６】
本実施形態の表示装置１０は、本実施形態の携帯電話２０（携帯端末）から送信された操作要求信号に基づいて、携帯端末制御信号（以下、制御信号）を送信し、当該携帯電話２０を遠隔操作するものである。この遠隔操作の一例として、携帯電話２０に保存された画像データを表示装置１０へ送信させる操作を挙げ、この操作を行うための構成について以下に説明する。
【０２２７】
（８．携帯電話２０の構成）
図１６は、携帯電話２０の構成を示す概略図である。図１６に示すように、携帯電話２０は、携帯電話２とは異なり、送信信号生成部２０ａを備えている。
【０２２８】
送信信号生成部２０ａは、主制御部２ｊからの信号生成命令に基づき、アプリ起動要求信号および操作要求信号を生成するものである。送信信号生成部２０ａは、生成した信号を赤外線通信部２ａへ出力する。
【０２２９】
（９．表示装置１０の構成）
図１７は、表示装置１０の外観を示す概略図である。図１８は、表示装置１０の内部構成を示す概略図である。
【０２３０】
図１７および図１８に示すように、本実施形態の表示装置１０は、表示装置１とは異なり、第１ＬＥＤ１０ａおよび第２ＬＥＤ１０ｂ（報知部）を備えている。図１７に示すように、第１ＬＥＤ１０ａは、第１赤外線通信部１ａの近傍に、第２ＬＥＤ１０ｂは、第２赤外線通信部１ｂの近傍に配されている。
【０２３１】
第１ＬＥＤ１０ａは、第１赤外線通信部１ａによって信号が受信されたことを示すものである。第２ＬＥＤ１０ｂは、第２赤外線通信部１ｂよって信号が受信されたことを示すものである。
【０２３２】
また、図１８に示すように、表示装置１０は、送信信号生成部１０ｃ（制御信号生成手段）、受信信号解析部１０ｄ、ＬＥＤ制御部１０ｅを備えている。
【０２３３】
送信信号生成部１０ｃは、主制御部１ｊからの信号生成命令に基づいて、アプリ起動許可信号および制御信号を生成するものである。アプリ起動許可信号は、画像を送受信するためのアプリケーションを起動を許可する旨を伝達するための信号である。制御信号は、携帯電話２０を制御するための信号である。送信信号生成部１０ｃは、生成した信号を赤外線通信部へ出力する。
【０２３４】
ＬＥＤ制御部１０ｅは、受信信号解析部１０ｄにおける受信信号の解析結果に基づいて、第１ＬＥＤ１０ａおよび第２ＬＥＤ１０ｂを制御するものである。
【０２３５】
図１９は、受信信号解析部１０ｄの構成を示す概略図である。図１９に示すように、受信信号解析部１０ｄは、受信通信部判定部１０ｆ（受信部検出手段）、携帯端末識別情報抽出部１０ｇ（識別情報抽出手段）、携帯端末識別情報比較部１０ｈ（識別情報比較手段）を備えている。
【０２３６】
受信通信部判定部１０ｆ、携帯端末識別情報抽出部１０ｇ（以下、識別情報抽出部１０ｇ）は、上述の受信通信部判定部１ｌ、識別情報抽出部１ｍとそれぞれ同様の機能を有するものである。
【０２３７】
携帯端末識別情報比較部１０ｈ（以下、識別情報比較部１０ｈ）は、識別情報抽出部１０ｇから出力された携帯端末識別情報と登録されている携帯端末識別情報とを比較するものである。上記登録されている携帯端末識別情報は、識別情報比較部１０ｈが備えるメモリ（不図示）に保存されている。識別情報比較部１０ｈは、比較結果を主制御部１ｊへ出力する。
【０２３８】
図２０は、赤外線通信部と携帯端末制御信号との対応を示す図である。図２０に示すように、第１赤外線通信部１ａと第２赤外線通信部１ｂとのどちらによって、操作要求信号が受信されたのかに基づいて、携帯電話２へ送信する制御信号が決められている。
【０２３９】
すなわち、第１赤外線通信部１ａで操作要求信号を受信した場合には、番号のひとつ小さい画像データを送信するように命じる制御命令を送信する。一方、第２赤外線通信部１ｂで操作要求信号を受信した場合には、番号のひとつ大きい画像データを送信するように命じる制御命令を送信する。
【０２４０】
図２１は、ディスプレイ１ｃにおける画面の例を示す概略図である。ディスプレイ１ｃの画面は、例えば同図（ａ）に示すように、第１赤外線通信部１ａの近く（左側）に「戻る」を表示し、赤外線通信部２の近く（右側）に「進む」を表示しているものである。
【０２４１】
また、同図（ｂ）に示すように、「戻る」の表示の近くに前の画像を縮小表示してもよい。この画像は携帯電話２で合成され、送信されたものでもよいし、表示装置１０のメモリｈに保存されている画像データを用いて表示装置１で合成されたものでもよい。
【０２４２】
（１０．携帯電話２０における処理の流れ）
次に、携帯電話２０に保存されている複数の画像データを表示装置１０へ送信する場合に携帯電話２０において行われる処理の流れについて、図２２を参照しつつ説明する。図２２は、携帯電話２０における処理の流れを示すフローチャートである。
【０２４３】
図２２に示すように、携帯電話２０の画像を表示装置１０に表示するためのアプリケーションを起動する操作が行われたことを検出すると（Ｓ５１）、主制御部２ｊは、アプリ起動要求信号の生成を命じる信号生成命令を送信信号生成部２０ａに出力する。
【０２４４】
この命令を受け取ると、送信信号生成部２０ａは、アプリ起動要求信号を生成し、生成した信号に携帯端末識別情報を付加して赤外線通信部２ａへ出力する。
【０２４５】
この信号を受け取ると、赤外線通信部２ａは、アプリ起動要求信号を赤外線信号に変調し、表示装置１０へ送信する（Ｓ５２）。
【０２４６】
この送信が完了すると、主制御部２ｊは、自らが備えるカウンター（不図示）にＮ＝１を設定する（Ｓ５３）。
【０２４７】
次に、主制御部２ｊは、メモリ制御部２ｉを介して、メモリ２ｈからデータ番号１の画像データを読み出した後、表示制御部２ｇを介して、ディスプレイ２ｂにデータ番号１の画像を表示させる（Ｓ５４）。
【０２４８】
表示装置１０から送信されたアプリ起動許可信号を受信すると（Ｓ５５）、主制御部２ｊは、データ番号１の画像データを赤外線通信部２ａから送信する（Ｓ５６）。このとき送信信号生成部２０ａは、生成した信号に携帯端末識別情報を付加する。
【０２４９】
主制御部２ｊは、操作要求キー（不図示）が押されるまで待機する（Ｓ５７）。
【０２５０】
操作要求キーが押されたことを検出すると（Ｓ５７にてＹＥＳ）、主制御部２ｊは、操作要求信号の生成を命じる信号生成命令を送信信号生成部２０ａに出力する。
【０２５１】
この命令を受け取ると、送信信号生成部２０ａは、操作要求信号を生成し、生成した信号に携帯端末識別情報を付加して赤外線通信部２ａへ出力する。
【０２５２】
この信号を受け取ると、赤外線通信部２ａは、操作要求信号を赤外線信号に変調し、表示装置１０へ送信する（Ｓ５８）。
【０２５３】
表示装置１０から送信された制御信号を受信すると（Ｓ５９）、赤外線通信部２ａは、その信号を受信信号判断部２ｍへ出力する。
【０２５４】
携帯端末制御信号を受け取ると、受信信号判断部２ｍは、その信号の指示が「進む」であるか「戻る」であるか（「進む」でないか）の判定を行い（Ｓ６０）、その判定結果を主制御部２ｊへ出力する。
【０２５５】
「進む」であると判定された場合（Ｓ６０にてＹＥＳ）、主制御部２ｊは、カウンターに１を追加する（Ｎ＝２）（Ｓ６１）。
【０２５６】
「戻る」であると判定された場合（Ｓ６０にてＮＯ）、主制御部２ｊは、カウンターから１を引く（Ｎ＝０）（Ｓ６２）。
【０２５７】
そして、主制御部２ｊは、メモリ制御部２ｉを介して、メモリ２ｈからデータ番号２または０の画像データを読み出した後、表示制御部２ｇを介して、ディスプレイ２ｂにデータ番号２または０の画像を表示させる（Ｓ５４に戻る）。
【０２５８】
一方、Ｓ５７にて、操作要求キーが押されずに、操作終了キー（不図示）が押されたことを検出すると（Ｓ５７にてＮＯ、Ｓ６３にてＹＥＳ）、主制御部２ｊは、操作終了信号を送信し（Ｓ６４）、一連の処理を終了する。
【０２５９】
なお、データ番号０の画像データがない場合は、番号の最も大きい画像データを表示してもよいし、エラーメッセージを表示してもよい。
【０２６０】
（１１．表示装置１０における処理の流れ）
次に、携帯電話２０に保存されている複数の画像データを表示装置１０へ送信する場合に表示装置１０において行われる処理の流れについて、図２１を参照しつつ説明する。図２３は、表示装置１０における処理の流れを示すフローチャートである。
【０２６１】
図２３に示すように、まず、主制御部１ｊは、メモリ制御部１ｉを介して、メモリ１ｈをリセットする（Ｓ７１）。
【０２６２】
携帯電話２０から送信されたアプリ起動要求信号を受信すると（Ｓ７２）、第１赤外線通信部１ａ（または第２赤外線通信部１ｂ）は、その信号を識別情報抽出部１０ｇおよび主制御部１ｊへ出力する。
【０２６３】
アプリ起動要求信号を受け取ると、識別情報抽出部１０ｇは、当該信号から携帯端末識別情報を抽出し、これを送信信号生成部１０ｃおよび識別情報比較部１０ｈへ出力する。
【０２６４】
携帯端末識別情報を受け取ると、識別情報比較部１０ｈは、自らが備えるメモリ（不図示）に当該携帯端末識別情報を保存する（Ｓ７３）。この処理は、アプリケーションが立ち上がっている間は、携帯端末識別情報が登録された携帯電話のみが、表示装置１０とコンタクトできるようにするためのものである。つまり、アプリケーションを立ち上げたユーザ以外のユーザに表示装置１０を操作させないようにするためのものである。
【０２６５】
一方、アプリ起動要求信号を受け取ると、主制御部１ｊは、アプリ起動許可信号の生成を命ずる信号生成命令を送信信号生成部１０ｃへ出力する。
【０２６６】
この命令を受け取ると、送信信号生成部１０ｃは、アプリ起動許可信号を生成し、この信号に携帯端末識別情報を付加した後、第１赤外線通信部１ａ（または第２赤外線通信部１ｂ）へ出力する。
【０２６７】
このアプリ起動許可信号を受け取ると、第１赤外線通信部１ａ（または第２赤外線通信部１ｂ）は、当該信号を赤外線変調し、携帯電話２０へ送信する（Ｓ７４）。
【０２６８】
そして、携帯電話２から操作要求信号を受信すると（Ｓ７５）、第１赤外線通信部１ａまたは第２赤外線通信部１ｂは、その信号を受信通信部判定部１０ｆへ出力する。
【０２６９】
操作要求信号を受け取ると、受信通信部判定部１０ｆは、その信号が第１赤外線通信部１ａと第２赤外線通信部１ｂとの両方によって受信されたものかどうかを判定する（Ｓ７６）。
【０２７０】
操作要求信号が両方の赤外線通信部によって受信されたと判定すると（Ｓ７６にてＹＥＳ）、受信通信部判定部１０ｆは、特定不能情報を主制御部１ｊへ出力する。
【０２７１】
特定不能情報を受け取ると、主制御部１ｊは、赤外線通信部を特定できない旨を
表示制御部１ｇを介してディスプレイ１ｃに表示し（Ｓ７７）、データ送信要求信号を受け取るまで待機する（Ｓ７５に戻る）。
【０２７２】
一方、操作要求信号が第１赤外線通信部１ａまたは第２赤外線通信部１ｂのいずれかによって受信されたものであると判定すると（Ｓ３６にてＮＯ）、受信通信部判定部１０ｆは、データ送信要求信号が第１赤外線通信部１ａによって受信されたものかどうかを判定する（Ｓ７８）。
【０２７３】
第１赤外線通信部１ａによって受信されたものであると判定すると（Ｓ７８にてＹＥＳ）、受信通信部判定部１０ｆは、その判定結果を示す第１特定情報を主制御部１ｊへ出力する。
【０２７４】
また、受信通信部判定部１０ｆは、操作要求信号を識別情報抽出部１０ｇへ出力する。識別情報抽出部１０ｇにおいて抽出された携帯端末識別情報は、識別情報比較部１０ｈへ出力される。識別情報比較部１０ｈは、この携帯端末識別情報が登録されたものであるかどうか判定し、登録されたものであると判断すると一致情報を、登録されたものでないと判断すると不一致情報を、主制御部１ｊへ出力する。
【０２７５】
不一致情報を受け取ると、主制御部１ｊは、ディスプレイ１ｃに操作不能である旨を表示させる。
【０２７６】
一致情報および第１特定情報を受け取ると、主制御部１ｊは、ＬＥＤ制御部１０ｅを介して、第１ＬＥＤ１０ａを点滅させる（Ｓ７９ａ）。
【０２７７】
さらに、主制御部１ｊは、「戻る」を示す制御信号を送信信号生成部１０ｃに生成させ、第１赤外線通信部１ａから送信する（Ｓ８０ａ）。
【０２７８】
一方、第１赤外線通信部１ａによって受信されたものでないと判定すると（Ｓ７８にてＮＯ）、受信通信部判定部１０ｆは、その判定結果を示す第２特定情報を主制御部１ｊへ出力する。
【０２７９】
一致情報および第２特定情報を受け取ると、主制御部１ｊは、ＬＥＤ制御部１０ｅを介して、第２ＬＥＤ１０ｂを点滅させる（Ｓ７９ｂ）。
【０２８０】
さらに、主制御部１ｊは、「進む」を示す制御信号を送信信号生成部１０ｃに生成させ、第２赤外線通信部１ｂから送信する（Ｓ８０ｂ）。
【０２８１】
携帯電話２から画像データを受信すると（Ｓ８１）、主制御部１ｊは、メモリ制御部１ｉを介して当該画像データをメモリ１ｈに保存する（Ｓ８２）。
【０２８２】
そして、主制御部１ｊは、表示制御部１ｇを介してディスプレイ１ｃに上記画像データに基づく画像を表示する（Ｓ８３）。
【０２８３】
ここで、操作終了信号を受信したことを検出すると（Ｓ８４にてＹＥＳ）、主制御部１ｊは、一連の画像受信処理を終了する。そうでなければ（Ｓ８４にてＮＯ）、主制御部１ｊは、操作要求信号を受信するまで待機する（Ｓ７５に戻る）。
【０２８４】
（１２．効果）
次ぎに、表示装置１０および携帯電話２０の効果について、図２４を参照しつつ説明する。図２４は、携帯電話２０から表示装置１０へ画像データを送信する場合のシーケンスを示す図である。
【０２８５】
図２４に示すように、携帯電話２０はアプリ起動要求信号を表示装置１０へ送信することにより、表示装置１０に画像データを受信するためのアプリケーションを起動する許可を求める。アプリケーションが起動すると、携帯電話２０は、操作要求信号を送信する。
【０２８６】
このとき、表示装置１０が備える２つの赤外線通信部のうち、どちらの赤外線通信部が操作要求信号を受信したかに基づいて、表示装置１０から携帯電話２０へ送信される制御信号の種類が決定される。
【０２８７】
すなわち、ユーザは、操作要求信号の送信先を選ぶことにより、制御信号の種類を選ぶことができる。この制御信号は、携帯電話２０の機能を制御するものであるため、ユーザは、操作要求信号の送信先を選ぶことにより、間接的に携帯電話２０を操作できる。また、所望どおりに携帯電話２０を操作できたかどうかは、表示装置１０のディスプレイ１ｃを見ることにより確認できる。
【０２８８】
そのため、従来のように、操作中に視線を大きく移動させる必要がない。従来の構成では、携帯電話の操作キーを押すことにより直接携帯電話を操作していた、この場合、操作キーを押しながら、携帯電話のディスプレイに表示された画像を見て送信する画像を選ぶ。また、所望の画像データが送られたかどうかを確認するために、表示装置のディスプレイを見る。そのため、操作中に視線を大きく移動させる必要があった。
【０２８９】
表示装置１０および携帯電話２０では、操作中に視線を大きく移動させる必要がなく、携帯電話２０の方向を変えるという簡単な動作で画像を選択できる。それゆえ、容易かつ直感的に画像送信操作を行うことができる。
【０２９０】
（１３．変更例）
制御信号を送信する場合に、第１および第２赤外線通信部１ａ・１ｂの両方から送信してもよい。しかし、操作要求信号を受信した赤外線通信部は、当該操作要求信号を送信した携帯電話２の赤外線通信部２ａの方向を向いている可能性が高いため、制御信号を受信した赤外線通信部から制御信号を送信する方が好ましい。
【０２９１】
上述の構成では、制御信号を赤外線通信で送受信していたが、携帯電話２０および表示装置１０にそれぞれ無線通信部を備え、無線通信により制御信号を送受信してもよい。また、その他の通信手段を用いていもよい。
【０２９２】
〔実施の形態３〕
本発明の他の実施形態について図２５〜図３３に基づいて説明すれば、以下のとおりである。なお、上述した実施形態と同様の部材には、同一の符号を付し、その説明を省略する。以下では、電子機器の一例として、表示装置１１を挙げて説明する。
【０２９３】
本実施形態の表示装置１１は、本実施形態の携帯電話２１（携帯端末）から送信される赤外線信号を、複数の赤外線通信部のうちのどの赤外線通信部によって受信したかに基づいて、ディスプレイ上のカーソルを移動させるものである。
【０２９４】
以下では、マルチチャンネルの中から所望のチャンネルを選択するためにカーソルを移動させる場合を例に挙げて説明する。
【０２９５】
（１４．表示装置１１の外観）
図２５は、表示装置１１の外観を示す概略図である。図２５に示すように、表示装置１１は、４つの赤外線通信部（受信部、送信部）を備えている。第１赤外線通信部１１ａ、第２赤外線通信部１１ｂ、第３赤外線通信部１１ｃ、第４赤外線通信部１１ｄは、ディスプレイ１ｃの左側、下側、右側、上側に、それぞれ配置されている。すなわち、４つの赤外線通信部１１ａ〜１１ｄは、所定の間隔をおいて配置されている。
【０２９６】
（１５．携帯電話２１の構成）
次に、携帯電話２１の構成について、図２６を参照しつつ説明する。図２６は、携帯電話２１の構成を示す概略図である。
【０２９７】
図２６に示すように、携帯電話２１は、赤外線通信部２ａ、複数の操作キー２ｃ（操作部）、送信信号生成部２１ａ、主制御部２ｊを備えている。
【０２９８】
送信信号生成部２１ａは、主制御部２ｊの信号生成命令に基づき、操作信号を生成するものである。操作信号は、表示装置１１の操作を行うための信号である。
【０２９９】
（１６．表示装置１１の構成）
次に、表示装置１１の構成について、図２７〜図２８を参照しつつ説明する。図２７は、表示装置１１の構成を示す概略図である。
【０３００】
図２７に示すように、表示装置１１は、表示装置１とは異なり、受信信号解析部１１ｅ、カーソル移動方向判定部１１ｆ（制御手段）、チューナー１１ｇを備えている。
【０３０１】
チューナー１１ｇは、テレビ放送を受信して映像信号を主制御部１ｊへ出力するものである。
【０３０２】
図２８は、受信信号解析部１１ｅの構成を示す概略図である。受信信号解析部１１ｅは、図２８に示すように、受信通信部判定部１１ｈ（受信部検出手段）を備えている。
【０３０３】
受信通信部判定部１１ｈは、４つの赤外線通信部１１ａ〜１１ｄからの出力信号を受け取り、どの赤外線通信部が携帯電話２１からの操作信号を受信したのかを判定するものである。受信通信部判定部１１ｈは、この判定結果および操作信号をカーソル移動方向判定部１１ｆへ出力する。
【０３０４】
カーソル移動方向判定部１１ｆは、受信通信部判定部１１ｈからの出力に基づいて、カーソルの移動方向を指定するものである。
【０３０５】
図２９に、赤外線通信部とカーソルの移動方向との対応関係を示す。同図に示すように、第１赤外線通信部１１ａが操作信号を受信した場合には、カーソルを左方向に移動させ、第２赤外線通信部１１ｂ、第３赤外線通信部１１ｃ、第４赤外線通信部１１ｄが操作信号を受信した場合には、カーソルをそれぞれ下、右、上方向に移動させるように対応付けられている。カーソル移動方向判定部１１ｆは、上記の対応関係に基づいてカーソルを移動させる命令を主制御部１ｊへ出力する。
【０３０６】
図３０は、ディスプレイ１ｃの画面の例を示す概略図である。同図に示すように、ディスプレイ１ｃには、サムネイル表示されたマルチチャンネルの映像が表示される。図３０には、１６チャンネルの場合の表示画面が示されている。
【０３０７】
操作信号を、第３赤外線通信部１１ｃで受信した後に、第４赤外線通信部１１ｄで受信した場合には、カーソルは、右方向および上方向に移動する。そのため、図３０（ａ）に示すように、カーソルがチャンネル１にあった場合には、同図（ｂ）に示すように、カーソルはチャンネル２に移動した後に、同図（ｃ）に示すように、チャンネル１４に移動する。
【０３０８】
なお、カーソルがチャンネル１〜４にある状態で上方向の移動指示を受信した場合に、上方向には移動できないとしてチャンネル２を選択したままにしてもよい。
【０３０９】
このように、表示装置１１では、どの赤外線通信部によって操作信号を受信したかに基づいて、カーソルの移動方向を決定する構成になっている。
【０３１０】
（１７．携帯電話２１における処理の流れ）
次ぎに、携帯電話２１から表示装置１１へ操作信号を送信する場合に、携帯電話２１において行われる処理の流れについて、図３１を参照しつつ説明する。図３１は、携帯電話２１における処理の流れを示すフローチャートである。
【０３１１】
図３１に示すように、ユーザによって表示装置操作キー（不図示）が押されたことを検出すると（Ｓ９１にてＹＥＳ）、主制御部２ｊは、送信信号生成部２１ａに操作信号を生成することを命じる信号生成命令を出力する。
【０３１２】
この信号生成命令を受け取ると、送信信号生成部２１ａは、操作信号を生成し、この信号を赤外線通信部２ａへ出力する。
【０３１３】
操作信号を受け取ると、赤外線通信部２ａは、その信号を赤外線信号に変調して表示装置１１へ送信する（Ｓ９２）。
【０３１４】
操作終了キー（不図示）が押されたことを検出すると（Ｓ９３にてＹＥＳ）、主制御部２ｊは、操作終了信号を送信し（Ｓ９４）、一連の処理を終了する。そうでなければ、主制御部２ｊは、表示装置操作キーが押されるまで待機する（（Ｓ９１に戻る）。
【０３１５】
（１８．表示装置１１おける処理の流れ）
次ぎに、携帯電話２１から表示装置１１へ操作信号を送信する場合に、表示装置１１において行われる処理の流れについて、図３２を参照しつつ説明する。図３２は、表示装置１１における処理の流れを示すフローチャートである。
【０３１６】
図３２に示すように、チューナー１１ｇがチャンネル１〜チャンネル１６の放送を受信すると（Ｓ１０１）、主制御部１ｊは、カーソルの位置をチャンネル１の位置に設定する（Ｓ１０２）。
【０３１７】
また、主制御部１ｊは、表示制御部１ｇを介して、ディスプレイ１ｃに１６チャネルのサムネイル表示させる（Ｓ１０３）。
【０３１８】
４つの赤外線通信部１１ａ〜１１ｄのいずれかが、携帯電話２１から操作信号を受信すると（Ｓ１０４にてＹＥＳ）、その赤外線通信部は、操作信号を受信通信部判定部１１ｈへ出力する。
【０３１９】
操作信号を受け取ると、受信通信部判定部１１ｈは、その信号が複数の赤外線通信部で受信されたものかどうかを判定する（Ｓ１０５）。
【０３２０】
操作信号が複数の赤外線通信部で受信されたものであると判定すると（Ｓ１０５にてＹＥＳ）、受信通信部判定部１１ｈは、特定不能情報を主制御部１ｊへ出力する。
【０３２１】
特定不能情報を受け取ると、主制御部１ｊは、赤外線通信部を特定できない旨を
表示制御部１ｇを介してディスプレイ１ｃに表示し（Ｓ１０６）、操作信号を受け取るまで待機する（Ｓ１０４に戻る）。
【０３２２】
一方、操作信号がいずれかの赤外線通信部によって受信されたものであると判定すると（Ｓ１０５にてＮＯ）、受信通信部判定部１１ｈは、操作信号が第１赤外線通信部１１ａによって受信されたものかどうかを判定する（Ｓ１０７ａ）。
【０３２３】
第１赤外線通信部１１ａによって受信されたものであると判定すると（Ｓ１０７ａにてＹＥＳ）、受信通信部判定部１ｌは、その判定結果を示す第１特定情報をカーソル移動方向判定部１１ｆへ出力する。
【０３２４】
第１特定情報を受け取ると、カーソル移動方向判定部１１ｆは、カーソルを左方向に移動させる命令を主制御部１ｊへ出力する。
【０３２５】
この命令を受け取ると、主制御部１ｊは、表示制御部１ｇを介してディスプレイ１ｃに表示されたカーソルを左方向に移動させ（Ｓ１０８ａ）、チャンネル２を選択させる（Ｓ１０９ａ）。
【０３２６】
一方、操作信号が第１赤外線通信部１１ａによって受信されたものでないと判定すると（Ｓ１０７ａにてＮＯ）、受信通信部判定部１ｌは、第２赤外線通信部１１ｂによって受信されたものかどうかを判定する（Ｓ１０７ｂ）。
【０３２７】
以下同様の処理を行い、操作信号が第２赤外線通信部１１ｂによって受信されたと判断すれば、カーソルを下方向に、第３赤外線通信部１１ｃによって受信されたと判断すれば、カーソルを右方向に、第４赤外線通信部１１ｄによって受信されたと判断すれば、カーソルを上方向に移動させる（Ｓ１０８ｂ〜１０９ｂ、Ｓ１０７ｃ〜Ｓ１０９ｃ、Ｓ１０８ｄ〜Ｓ１０９ｄ）。
【０３２８】
そして、操作終了信号を受信すれば（Ｓ１１０にてＹＥＳ）、主制御部１ｊは一連の処理を終了する。そうでなければ、主制御部１ｊは、操作信号を受信するまで待機する（Ｓ１０４に戻る）。
【０３２９】
（１９．効果）
次に、表示装置１１および携帯電話２１の効果について、図３３を参照しつつ説明する。図３３は、携帯電話２１から表示装置１１へ操作信号を送信する場合のシーケンスを示す図である。
【０３３０】
図３３に示すように、携帯電話２１から送信された操作信号がどの赤外線通信部によって受信されたのかに基づいて、表示装置１１のカーソルの移動方向が決定される。
【０３３１】
そのため、ユーザは、携帯電話２１を向ける方向を変えるだけで、カーソルの移動方向を指示することができる。
【０３３２】
また、４つの赤外線通信部１１ａ〜１１ｄは、カーソルの移動方向に対応した位置に配置されている。そのため、ユーザは、カーソルを移動させたい方向に位置する赤外線通信部に向けて操作信号を送信することにより、所望の方向にカーソルを移動させることができる。それゆえ、ユーザは、直感的にカーソルを移動させることができる。
【０３３３】
（２０．変更例）
ディスプレイ１ｃに表示されるサムネイルの数は、上記のものに限定されず、いくつであってもよい。
【０３３４】
また、ディスプレイ１ｃに表示される選択肢は、チャンネルを選択するものに限定されない。例えば、ＤＶＤに保存された映画のチャプターを選択するためのものであってもよいし、表示装置１１の機能を選択するためのものであってもよい。つまり、上記選択肢は、何らかの選択を行うためのものであればよい。
【０３３５】
〔実施の形態４〕
本発明の他の実施形態について図３４〜図４０に基づいて説明すれば、以下のとおりである。なお、上述した実施形態と同様の部材には、同一の符号を付し、その説明を省略する。以下では、電子機器の一例として、表示装置１２を挙げて説明する。
【０３３６】
本実施形態の表示装置１２は、本実施形態の携帯電話２２（携帯端末）から送信された信号を４つの赤外線通信部で受信し、どの赤外線通信部で何回信号を受信したかをカウントするものである。
【０３３７】
（２１．携帯電話２２の構成）
図３４は、携帯電話２２の構成を示す概略図である。同図に示すように、携帯電話２２は、送信信号生成部２２ａ、無線通信部２２ｂを備えている。
【０３３８】
送信信号生成部２２ａは、主制御部２ｊからの信号生成命令に基づき、投票信号を生成した後、生成した投票信号に携帯端末識別情報を付加するものである。携帯端末識別情報は、送信信号生成部２２ａが有するメモリ（不図示）に保存されている。送信信号生成部２２ａは、生成した投票信号を赤外線通信部２ａへ出力する。
【０３３９】
無線通信部２２ｂは、表示装置１２から送信された集計結果信号を受信するものである。無線通信部２２ｂは、受信した集計結果信号を主制御部２ｊへ出力する。
【０３４０】
（２２．表示装置１２の構成）
図３５は、表示装置１２の構成を示す概略図である。同図に示すように、表示装置１２は、受信信号解析部１２ａ、投票信号集計部１２ｂ（計測手段）、送信信号生成部１２ｃ、無線通信部１２ｄを備えている。
【０３４１】
図３６に受信信号解析部１２ａの構成を示す。同図に示すように、受信信号解析部１２ａは、受信通信部判定部１２ｅ（受信部検出手段）、携帯端末識別情報抽出部１２ｆ（識別情報抽出手段）、携帯端末識別情報比較部１２ｇ（識別情報比較手段）、受信信号判断部１２ｈ（識別情報比較手段）を備えている。
【０３４２】
受信通信部判定部１２ｅは、４つの赤外線通信部１１ａ〜１１ｄのいずれかが受信した投票信号を受け取り、どの赤外線通信部が受信したのかを判定するものである。受信通信部判定部１２ｅは、その判定結果を識別情報比較部１２ｇおよび受信信号判断部１２ｈへ出力し、投票信号を識別情報抽出部１２ｆへ出力する。
【０３４３】
携帯端末識別情報抽出部１２ｆ（以下、識別情報抽出部１２ｆ）は、投票信号から携帯端末識別情報を抽出し、識別情報比較部１２ｇへ出力するものである。
【０３４４】
携帯端末識別情報比較部１２ｇ（以下、識別情報比較部１２ｇ）は、受信通信部判定部１２ｅの判定結果に基づいて、抽出された携帯端末識別情報と登録された携帯端末識別情報とを比較し、投票が有効であるか無効であるかを判断するものである。上記登録された携帯端末識別情報については後述する。識別情報比較部１２ｇは、有効情報または無効情報を受信信号判断部１２ｈへ出力する。
【０３４５】
受信信号判断部１２ｈは、識別情報比較部１２ｇから有効情報を受け取った場合に、自らが備える一時記憶メモリ（不図示）を参照することにより、受信された投票信号が当該投票信号を送信した携帯電話２から初めて受信したものかどうかを判断するものである。受信信号判断部１２ｈは、上記投票信号が初めて受信されたものである場合に、受信通信部判定部１２ｅの判定結果を投票信号集計部１２ｂへ出力する。
【０３４６】
投票信号集計部１２ｂは、受信信号判断部１２ｈから出力された判定結果に基づいて、何回投票信号を受信したかを赤外線通信部ごとに集計するものである。投票信号集計部１２ｂは、その集計結果を主制御部１ｊへ出力する。
【０３４７】
送信信号生成部１２ｃは、投票信号集計部１２ｂの集計結果に基づいて、集計結果信号を生成するものである。送信信号生成部１２ｃは、生成した集計結果信号を無線通信部１２ｄへ出力する。
【０３４８】
無線通信部１２ｄは、集計結果信号を送信するものである。
【０３４９】
図３７は、識別情報比較部１２ｇが有する機能対応テーブル７の一例を示す図である。
【０３５０】
機能対応テーブル７は、複数の赤外線通信部の機能と携帯端末識別情報との対応関係を示すテーブルである。この機能対応テーブルは、識別情報比較部１２ｇが有するメモリ（不図示）に保存されている。
【０３５１】
同図に示すように、第１赤外線通信部１１ａ、第２赤外線通信部１１ｂ、第３赤外線通信部１１ｃをそれぞれＡさん、Ｂさん、Ｃさんに投票するための赤外線通信部であると取り決めている。さらに、候補者は自分自身には投票できないものとしている。そのため、Ａさんが所有する携帯電話Ａから送信された投票信号は、第１赤外線通信部１１ａでは受信できないように設定されている。
【０３５２】
この設定は、携帯電話Ａの携帯端末識別情報を機能対応テーブル７に登録し、携帯電話Ａからの投票信号を第１赤外線通信部１１ａでは受信できないようにすることにより実現されている。Ｂさん、Ｃさんについても同様の設定が行われている。
【０３５３】
また、投票を締め切る処理は、投票管理者が所持する携帯電話Ｄによってのみ行うことができる設定になっている。携帯電話Ｄの携帯端末識別情報も機能対応テーブル７に登録されている。
【０３５４】
識別情報比較部１２ｇは、予め登録設定されている機能対応テーブル７を参照しつつ、受信した投票信号が、当該投票信号を受信した赤外線通信部において有効か無効かを判断する。
【０３５５】
（２３．携帯電話２２における処理の流れ）
次ぎに、携帯電話２２および表示装置１２を用いて投票する場合に、携帯電話２２において行われる処理の流れについて、図３８を参照しつつ説明する。図３８は、携帯電話２２における処理の流れを示すフローチャートである。
【０３５６】
図３８に示すように、主制御部２ｊは、投票キー（不図示）が押されるまで待機する。投票キーが押されたことを検出すると（Ｓ１１１にてＹＥＳ）、主制御部２ｊは、投票信号の生成を命じる信号生成命令を送信信号生成部２２ａに出力する。
【０３５７】
この命令を受け取ると、送信信号生成部２２ａは、投票信号を生成し、生成した信号に携帯端末識別情報を付加して赤外線通信部２ａへ出力する。
【０３５８】
この信号を受け取ると、赤外線通信部２ａは、投票信号を赤外線信号に変調し、表示装置１２へ送信する（Ｓ１１２）。
【０３５９】
携帯電話２２からの集計結果信号を受信すると（Ｓ１１３）、無線通信部２２ｂは、集計結果信号を主制御部２ｊへ出力する。
【０３６０】
集計結果信号を受け取ると、主制御部２ｊは、表示制御部２ｇを介して、ディスプレイ２ｂに集計結果を表示し（Ｓ１１４）、一連の処理を終了する。
【０３６１】
（２４．表示装置１２における処理の流れ）
次ぎに、携帯電話２２および表示装置１２を用いて投票する場合に、表示装置１２において行われる処理の流れについて、図３９を参照しつつ説明する。図３９は、表示装置１２における処理の流れを示すフローチャートである。
【０３６２】
図３９に示すように、主制御部１ｊは、投票信号を受信するまで待機する（Ｓ１２１）。
【０３６３】
携帯電話２２から送信された投票信号を受信すると（Ｓ１２１にてＹＥＳ）、投票信号を受信した赤外線通信部は、その信号を受信通信部判定部１２ｅへ出力する。
【０３６４】
投票信号を受け取ると、受信通信部判定部１２ｅは、その信号が複数の赤外線通信部によって受信されたものかどうかを判定する（Ｓ１２２）。
【０３６５】
投票信号が複数の赤外線通信部によって受信されたと判定すると（Ｓ１２２にてＹＥＳ）、受信通信部判定部１２ｅは、特定不能情報を主制御部１ｊへ出力する。
【０３６６】
特定不能情報を受け取ると、主制御部１ｊは、赤外線通信部を特定できない旨を
表示制御部１ｇを介してディスプレイ１ｃに表示し（Ｓ１２３）、投票信号を受け取るまで待機する（Ｓ１２１に戻る）。
【０３６７】
投票信号がひとつの赤外線通信部によって受信されたと判定すると（Ｓ１２２にてＮＯ）、受信通信部判定部１２ｅは、その判定結果を受信信号判断部１２ｈおよび識別情報比較部１２ｇへ出力するとともに、投票信号を識別情報抽出部１２ｆへ出力する。
【０３６８】
投票信号を受け取ると、識別情報抽出部１２ｆは、投票信号から携帯端末識別情報を抽出し、抽出した携帯端末識別情報を識別情報比較部１２ｇへ出力する。
【０３６９】
携帯端末識別情報および判定結果を受け取ると、識別情報比較部１２ｇは、機能対応テーブル７を参照し、その投票信号を送信した携帯電話は、その赤外線通信部にアクセス権があるのかどうかを判断する（Ｓ１２４）。
【０３７０】
アクセス権がないと判断すると（Ｓ１２４にてＮＯ）、識別情報比較部１２ｇは、投票無効情報を主制御部１ｊへ出力する。
【０３７１】
投票無効情報を受け取ると、主制御部１ｊは、投票が無効である旨を表示制御部１ｇを介してディスプレイ１ｃに表示し（Ｓ１２３）、新たな投票信号を受け取るまで待機する（Ｓ１２１に戻る）。
【０３７２】
一方、アクセス権があると判断すると（Ｓ１２４にてＹＥＳ）、識別情報比較部１２ｇは、投票有効情報および携帯端末識別情報を受信信号判断部１２ｈへ出力する。
【０３７３】
投票有効情報および携帯端末識別情報を受け取ると、受信信号判断部１２ｈは、判定結果が第４赤外線通信部１１ｄを示すものであるかどうかを判断する（Ｓ１２５）。
【０３７４】
判定結果が第４赤外線通信部１１ｄを示すものでないと判断すれば（Ｓ１２５にてＮＯ）、受信信号判断部１２ｈは、自らが備える一時記憶メモリ（不図示）に当該携帯端末識別情報が保存されているかどうかを検索する（Ｓ１２６）。
【０３７５】
携帯端末識別情報が既に保存されている場合には（Ｓ１２６にてＹＥＳ）、受信信号判断部１２ｈは、投票無効情報を主制御部１ｊへ出力する。投票無効情報を受け取ると、主制御部１ｊは、投票が無効である旨を表示制御部１ｇを介してディスプレイ１ｃに表示し（Ｓ１２７）、新たな投票信号を受け取るまで待機する（Ｓ１２１に戻る）。
【０３７６】
一方、携帯端末識別情報が保存されていない場合には（Ｓ１２６にてＮＯ）、受信信号判断部１２ｈは、自らが備える一時記憶メモリ（不図示）に上記携帯端末識別情報を保存する（Ｓ１２８）。
【０３７７】
そして、受信信号判断部１２ｈは、受信通信部判定部１２ｅの判定結果を投票信号集計部１２ｂへ出力する。
【０３７８】
判定結果を受け取ると、投票信号集計部１２ｂは、その判定結果が示す赤外線通信部のカウンターに１を追加する（Ｓ１２９）。そして、赤外線通信部は、新たな投票信号を受け取るまで待機する（Ｓ１２１に戻る）。
【０３７９】
一方、判定結果が第４赤外線通信部１１ｄであると判断すれば（Ｓ１２５にてＹＥＳ）、受信信号判断部１２ｈは、集計命令を投票信号集計部１２ｂへ出力する。
【０３８０】
集計命令を受け取ると、投票信号集計部１２ｂは、各赤外線通信部のカウンターを確認し、集計結果を示す集計結果テーブル（不図示）を作成する（Ｓ１３０）。投票信号集計部１２ｂは、この集計結果テーブルを送信信号生成部１２ｃおよび主制御部１ｊへ出力する。
【０３８１】
集計結果テーブルを受け取ると、主制御部１ｊは、集計結果テーブルに基づく投票結果を表示制御部１ｇを介してディスプレイ１ｃに表示する（Ｓ１３１）。
【０３８２】
投票結果テーブルを受け取ると、送信信号生成部１２ｃは、投票結果テーブルに基づき投票結果信号を生成し、無線通信部１２ｄへ出力する。
【０３８３】
投票結果信号を受け取ると、無線通信部１２ｄは、その信号を無線信号に変調して各携帯電話２２へ送信し（Ｓ１３２）、一連の処理を終える。
【０３８４】
（２５．効果）
次に、表示装置１２および携帯電話２２の効果について、図４０を参照しつつ説明する。図４０は、携帯電話２２から表示装置１２へ投票信号を送信するシーケンスを示す図である。
【０３８５】
図４０に示すように、４つの携帯電話２２（携帯電話Ａ〜Ｄ）から、表示装置１２へ投票信号を送信する。このとき、４つの赤外線通信部のうち、どの赤外線通信部に向けて投票信号を送信するかによって、投票先が決まる。
【０３８６】
それゆえ、ユーザ（投票人）は、携帯電話２２を向ける方向を選択するという簡単な操作で、投票先を選択することができる。
【０３８７】
また、第４赤外線通信部１１ｄは、投票を終了するための信号を受信するものである。この第４赤外線通信部１１ｄに投票信号を送信することにより、得票数の集計が開始され、集計結果が表示される。それゆえ、投票の終了操作も携帯電話２２を向ける方向を選択するだけで行うことができる。
【０３８８】
また、携帯電話Ａの携帯端末識別情報を機能対応テーブル７に登録し、携帯電話Ａからの投票信号を第１赤外線通信部１１ａで受信した場合は、その投票を無効にするようにしている。
【０３８９】
この構成により、携帯電話Ａを所有しているＡさんが候補者のひとりであり、第１赤外線通信部１１ａへの投票信号の送信がＡさんに投票することを意味している場合には、Ａさん自身は自分に投票できないようにすることができる。
【０３９０】
また、投票結果を表す集計結果信号を赤外線通信ではなく無線通信で送信することにより、複数の携帯電話２２に同時に送信することができる。また、集計結果信号を送信するときには、各携帯電話２２は表示装置１２の方向に向いていない可能性があるため、確実に集計結果信号を伝達するためには無線通信で送信するほうが好ましい。
【０３９１】
（２６．変更例）
上述の構成では、第４赤外線通信部１１ｄに投票信号を送信することにより、得票数の集計が開始されていたが、投票を終了するための操作キーを別に設けて、第４赤外線通信部１１ｄを４番目の候補者への投票用としてもよい。
【０３９２】
また、候補者が自分自身に投票できるように設定してもよい。すなわち、識別情報比較部１２ｇは、受信した投票信号が、当該投票信号を受信した赤外線通信部において有効か無効かを判断してもよいし、しなくてもよい。
【０３９３】
また、識別情報抽出部１２ｆの出力信号に基づいて、同じ携帯電話からの重複する信号を無効とする構成にしてもよい。
【０３９４】
また、上記の構成では、受信信号判断部１２ｈを識別情報比較手段として設けているが、受信信号判断部１２ｈの識別情報比較手段としての機能を識別情報比較部１２ｇに持たせてもよい。
【０３９５】
〔実施の形態５〕
本発明の他の実施形態について図４１〜図４７に基づいて説明すれば、以下のとおりである。なお、上述した実施形態と同様の部材には、同一の符号を付し、その説明を省略する。以下では、電子機器の一例として、表示装置１４を挙げて説明する。また、表示装置１４を制御する携帯端末として携帯電話２を例に挙げて説明する。
【０３９６】
（２７．表示装置１４の外観）
図４１は、表示装置１４の外観を示す概略図である。図４１に示すように、表示装置１４は、第１および第２赤外線通信部１４ａ・１４ｂ（受信部、送信部）、デュアルビュー液晶１４ｃ（マルチビュー表示部）を備えている。
【０３９７】
図４２は、デュアルビュー液晶１４ｃの可視範囲を示す概略図である。デュアルビュー液晶１４ｃは、図４２に示すように、見る方向によって異なる画像が表示される表示部である。具体的には、表示装置１４に向かって左方向からは映像Ａが見え、表示装置１４に向かって右方向からは映像Ｂが見える。換言すれば、映像Ａを見ることができる方向の範囲（可視範囲）と、映像Ｂを見ることができる方向の範囲とは異なっている。これら映像Ａおよび映像Ｂの内容は、互いに独立して制御される。
【０３９８】
デュアルビュー液晶１４ｃは、見る方向によって異なる画像が複数表示されるものであればよく、その構成については特に限定されない。
【０３９９】
第１および第２赤外線通信部１４ａ・１４ｂは、携帯電話２から送信された信号を受信するとともに、各種の信号を送信するものであり、表示装置１４の前面に配置されている。これら第１および第２赤外線通信部１４ａ・１４ｂの配置は特に限定されず、第１赤外線通信部１４ａと第２赤外線通信部１４ｂとの間隔も特に限定されない。
【０４００】
図４３に、第１および第２赤外線通信部１４ａ・１４ｂの受信可能範囲を示す。図４３に示すように、第１および第２赤外線通信部１４ａ・１４ｂが受信できる信号の方向の範囲は互いに異なっている。具体的には、第１赤外線通信部１４ａは、表示装置１４に向かって左斜め前方から送信された信号を受信することができるのに対し、第２赤外線通信部１４ｂは、表示装置１４に向かって右斜め前方から送信された信号を受信することができる。そのため、第１赤外線通信部１４ａと第２赤外線通信部１４ｂとの間隔を空けなくとも、異なる方向から送信された信号を区別して受信できる。
【０４０１】
第１および第２赤外線通信部１４ａ・１４ｂの受信範囲を上述のものとするためには、図４３に示すように、第１および第２赤外線通信部１４ａ・１４ｂを表示装置１４に取り付ける場合の取り付け角度を調節すればよい。
【０４０２】
第１および第２赤外線通信部１４ａ・１４ｂとして、例えば、図４４に示す構造を有するものを用いることができる。図４４は、第１赤外線通信部１４ａの構造を示す概略図である。図４４に示すように、第１赤外線通信部１４ａは、受光部１３ａ（受信部）および発光部１３ｂ（送信部）を備えている。そして、受光部１３ａへの信号の受光角および発光部１３ｂからの信号の放射角はそれぞれ限定されている。
【０４０３】
なお、赤外線通信部の構造は、上記のものに限定されず、携帯電話２からの信号を受信できる角度の範囲が限定されているものであればよい。
【０４０４】
（２８．表示装置１４の構成および効果）
図４５は、表示装置１４の内部構成を示す概略図である。図４５に示すように、表示装置１４の内部構成は、表示装置１の内部構成とほぼ同様のものである。表示装置１における処理の流れも表示装置１における処理の流れとほぼ同様である。表示装置１４と表示装置１との違いは、表示装置１４においては、第１赤外線通信部１４ａによって携帯電話２からの信号が受信された場合には、映像Ａに関する表示処理が行われ、第２赤外線通信部１４ｂによって信号が受信された場合には、映像Ｂに関する表示処理が行われる点である。
【０４０５】
図４２と図４３とを見比べると分かるように、第１赤外線通信部１４ａの受信可範囲は映像Ａの可視範囲に含まれており、第２赤外線通信部１４ｂの受信可能範囲は映像Ｂの可視範囲に含まれている。
【０４０６】
そのため、映像Ａを見ることができる位置から信号を送信した場合には、当該信号は第１赤外線通信部１４ａによって受信される可能性が高い。第１赤外線通信部１４ａが当該信号を受信すると、映像Ａに関する表示処理が行われる。映像Ａに関する表示処理とは、例えば、映像Ａの内容を変更することであってもよいし、映像Ａの表示様式（例えば、再生速度、分割表示様式）を変更することであってもよい。
【０４０７】
一方、映像Ｂを見ることができる位置から信号を送信した場合には、当該信号は第２赤外線通信部１４ｂによって受信される可能性が高い。第２赤外線通信部１４ｂが当該信号を受信すると、映像Ｂに関する表示処理が行われる。
【０４０８】
このように、第１および第２赤外線通信部１４ａ・１４ｂの受信可能範囲と、デュアルビュー液晶１４ｃに表示される画像を見ることができる可視範囲とは少なくとも一部重なっており、信号を受信した赤外線通信部の受信可能範囲と重なる可視範囲を有する映像に関する表示処理が行われる。
【０４０９】
それゆえ、ある映像を見ることができる位置から送信された信号に基づいて、当該映像の表示内容を変更することができる。
【０４１０】
（２９．変更例）
上記の構成では、マルチビュー表示部として、デュアルビュー液晶１４ｃを用いているが、マルチビュー表示部として、３方向から異なる画像を見ることができる表示部を用いてもよい。その場合には、赤外線通信部を少なくとも３つ設け、画像が見える方向と、赤外線通信部が信号を受信できる方向とを対応付ければよい。
【０４１１】
また、図４６に示すように、４つの赤外線受信部１５ａ〜１５ｄを備えた表示装置１５を実現してもよい。図４６は、表示装置１５の外観を示す概略図である。第１赤外線通信部１５ａおよび第２赤外線通信部１５ｂは、表示装置１５の前面左下側に設けられており、第３赤外線通信部１５ｃおよび第４赤外線通信部１５ｄは、表示装置１５の前面右下側に設けられている。
【０４１２】
図４７は、第１〜４赤外線通信部１５ａ〜１５ｄの受信可能範囲を示す概略図である。図４７に示すように、第１赤外線通信部１５ａの受信可能範囲と第３赤外線通信部１５ｃの受信可能範囲とはほぼ平行に延びており、第２赤外線通信部１５ｂの受信可能範囲と第４赤外線通信部１５ｄの受信可能範囲とはほぼ平行に延びている。
【０４１３】
そして、第１赤外線通信部１５ａまたは第３赤外線通信部１５ｃによって信号が受信された場合には、映像Ａの表示に関する処理が行われ、第２赤外線通信部１５ｂまたは第４赤外線通信部１５ｄによって信号が受信された場合には、映像Ｂの表示に関する処理が行われる。
【０４１４】
そのため、映像Ａが見える位置から信号を送信することにより映像Ａの表示内容を変更する場合には、第１赤外線通信部１５ａに信号を送信してもよいし、第３赤外線通信部１５ｃに送信してもよい。したがって、赤外線通信部が２つの場合よりもより確実に携帯電話２からの信号を受信できる。
【０４１５】
また、上記の実施形態では、赤外線通信部は表示装置と一体形成されているが、赤外線通信部と表示装置とを別々に形成してもよい。すなわち、複数の赤外線通信装置と表示装置とが、有線または無線により接続されている構成にしてもよい。換言すれば、上記実施形態の表示装置は、携帯端末から送信された信号を受信する複数の赤外線通信装置と接続するための接続部（例えば、入出力端子や通信部）と、上記信号を受信した赤外線通信装置を検出する受信装置検出手段と、上記複数の赤外線通信装置のうち、どの赤外線通信装置が上記信号を受信したのかという上記受信装置検出手段の検出結果と表示装置における複数の処理のうちのひとつとを対応付ける制御手段とを備えていてもよい。この場合には、複数の赤外線通信装置を適当な間隔を置いて配置することや、複数の赤外線通信装置の方向を互いに異ならせることが容易にできる。
【０４１６】
また、赤外線通信部と、表示装置の制御装置と、表示装置とを別々に形成してもよい。表示装置１を例に挙げると、受信信号解析部１ｅ、送信信号生成部１ｆ、メモリ１ｈ、メモリ制御部１ｉ、主制御部１ｊ、タイマー１ｋを備える表示装置の制御装置（電子機器）を形成し、この制御装置に第１および第２赤外線通信装置を有線または無線で接続するとともに、表示制御部を備えるディスプレイを当該制御装置に接続してもよい。この場合には、赤外線通信装置と接続された制御装置を、必要に応じてディスプレイに取り付けることができる。
【０４１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０４１８】
例えば、赤外線通信部は複数あればよく、その数は特に限定されない、また、赤外線通信部を受信部と送信部とに分離し、それぞれを別の位置に設けてもよい。
【０４１９】
画像データおよび集計結果信号は、赤外線通信部によって送受信してもよいし、無線通信部によって送受信してもよい。
【０４２０】
また、上記表示装置および上記携帯電話の各手段は、ハードウェアロジックによって構成してもよいし、次のようにＣＰＵを用いてソフトウェアによって構成してもよい。
【０４２１】
すなわち、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種情報を格納するメモリ等の記録媒体などを備えている。
【０４２２】
そして、本発明の目的は、上述した機能を実現するソフトウェアである上記表示装置および上記携帯電話の制御プログラムのプログラムコード（実行形式プログラム、中間コードプログラム、ソースプログラム）をコンピュータで読み取り可能に記録した記録媒体を、上記表示装置および上記携帯電話に供給し、そのコンピュータ（またはＣＰＵやＭＰＵ）が記録媒体に記録されているプログラムコードを読み出し実行することによっても、達成可能である。
【０４２３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュメモリ等の半導体メモリ系などを用いることができる。
【０４２４】
また、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。
【０４２５】
また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Bluetooth（登録商標）、８０２．１１無線、ＨＤＲ、携帯電話網、衛星回線、地上波デジタル網等の無線でも利用可能である。
【０４２６】
なお、本発明は、上記プログラムコードが電子的な伝送で具現化された、搬送波に埋め込まれたコンピュータデータ信号の形態でも実現され得る。
【０４２７】
このように本明細書において、手段とは必ずしも物理的手段を意味するものではなく、各手段の機能がソフトウェアによって実現される場合も包含する。さらに、一つの手段の機能が二つ以上の物理的手段により実現されても、もしくは、二つ以上の手段の機能が一つの物理的手段により実現されてもよい。
【０４２８】
上記表示装置は、画像などのデータを表示する表示手段と、携帯端末と赤外線通信を行う複数の赤外線通信手段と、携帯端末から送信された赤外線信号を受信した赤外線通信手段を検出する受信通信手段判定手段と、を備えている。
【０４２９】
前記表示手段に複数のデータを複数の表示領域に分割して表示させる分割表示制御手段を備え、前記赤外線通信手段とその赤外線通信手段で受信したデータを表示させる表示領域が対応付けられていることが好ましい。
【０４３０】
前記分割表示制御手段は、データを表示させる表示領域をそのデータを受信した赤外線通信手段の近くに割り当てることが好ましい。
【０４３１】
前記分割表示制御手段は、表示させるデータが割り当てられていない表示領域がある場合は、分割数を減らして表示することが好ましい。
【０４３２】
上記表示装置は、機能を制御する機能制御手段をさらに備え、前記赤外線通信手段と機能制御手段が制御する機能が対応付けられていることが好ましい。
【０４３３】
前記表示手段は、赤外線通信手段の近くにその赤外線通信手段に対応付けられた機能を示す情報を表示することが好ましい。
【０４３４】
表示手段の上、下、左、右の位置に赤外線通信手段が配置されており、前記機能制御手段はそれぞれ赤外線通信手段に対して上、下、左、右の方向にカーソルを移動させる機能を対応付けていることが好ましい。
【０４３５】
前記機能制御手段は、受信通信手段判定手段の出力信号に基づいて各赤外線通信手段が信号を受信した回数を集計する機能を持つことが好ましい。
【０４３６】
携帯端末から送信される赤外線信号に含まれる携帯端末を識別する携帯端末識別情報を抽出する携帯端末識別情報抽出手段を備えることが好ましい。
【０４３７】
上記表示装置は、ある携帯端末が表示装置の操作モードに入っているときは、他の携帯端末からの赤外線信号を無効とすることが好ましい。
【０４３８】
前記赤外線信号通信部と前記携帯端末識別情報が対応付けられており、各赤外線通信部と通信可能な携帯端末が制限されていることが好ましい。
【０４３９】
前記信号を受信した回数を集計する機能を持つ機能制御手段において、携帯端末識別情報抽出手段の出力信号に基づいて、同じ携帯端末からの重複する信号を無効とすることが好ましい。
【０４４０】
上記表示装置は、携帯端末に送信する信号を生成する送信信号生成手段を備えることが好ましい。
【０４４１】
上記表示装置は、前記受信通信手段判定手段の出力信号に基づいて、送信信号生成手段の出力信号を送信する赤外線通信手段を選択することが好ましい。
【０４４２】
上記表示装置は、送信装置と無線通信を行う無線通信手段を備え、送信信号生成手段の出力信号を無線通信手段により送信することが好ましい。
【０４４３】
前記送信信号生成手段は、前記受信通信手段判定手段の出力信号に基づいて携帯端末を制御する携帯端末制御信号を生成することが好ましい。
【０４４４】
前記送信信号生成手段は、携帯端末からの赤外線信号が無効であると判断されたとき、赤外線信号を送信した携帯端末に操作が無効であったことを通知する無効通知信号を生成することが好ましい。
【０４４５】
前記送信信号生成手段は、送信信号の中に携帯端末を識別する携帯端末識別情報を埋め込むことが好ましい。
【０４４６】
前記受信通信手段判定手段は、携帯端末からの赤外線信号を複数の赤外線通信手段で受信した場合、その送信装置からの赤外線信号を無効とすることが好ましい。
【０４４７】
上記表示装置は、携帯端末からの赤外線信号を受信したことを契機に計時を開始するタイマーを備え、信号を受信してから携帯端末の操作者が所望する処理を実行するまでに一定時間以上の受信赤外線手段確認時間を確保することが好ましい。
【０４４８】
前記受信赤外線手段確認時間の間に、前記表示手段は前記受信通信手段判定手段の出力信号に基づいて、赤外線信号を受信した赤外線通信手段を示す情報を表示することが好ましい。
【０４４９】
前記表示手段は、前記携帯端末識別情報抽出手段の出力信号に基づいて、受信した赤外線信号を送信した携帯端末を示す情報を表示することが好ましい。
【０４５０】
上記表示装置は、報知部をさらに備え、前期受信赤外線手段確認時間の間に報知部は前記受信通信手段判定手段の出力信号に応じて報知を行うことが好ましい。
【０４５１】
前記報知部は、前記携帯端末識別情報抽出手段の出力信号に基づいて報知方法を変えることが好ましい。
【０４５２】
上記表示装置は、前記受信赤外線手段確認時間の間に、携帯端末から処理を無効にさせたい無効要求信号を受信したら、処理を無効にすることが好ましい。
【０４５３】
上記携帯端末は、携帯端末を操作する操作手段と、前期表示装置に送信する信号を生成する送信信号生成手段と、前期表示装置と赤外線通信を行う赤外線通信手段と、を備えている。
【０４５４】
前記送信信号生成手段は、送信信号の中に携帯端末を識別するための携帯端末識別情報を埋め込むことが好ましい。
【０４５５】
上記携帯端末は、受信した前記携帯端末制御信号に基づいて携帯端末の機能を制御する機能制御手段を備えることが好ましい。
【０４５６】
上記携帯端末は、表示装置から送信される赤外線信号に含まれる携帯端末を識別する携帯端末識別信号を抽出する携帯端末識別情報抽出手段を備えることが好ましい。
【０４５７】
上記携帯端末は、前記携帯端末識別情報抽出手段の抽出結果が、自端末以外を示す携帯端末識別情報のときは、受信した赤外線信号を無効とすることが好ましい。
【０４５８】
上記電子機器は、見る方向によって異なる映像を表示可能なマルチビュー表示手段と、マルチビュー表示を制御するマルチビュー表示制御手段とを備え、受信部検出手段の検出結果とマルチビューの映像の操作を対応付けることを特徴としている。
【０４５９】
対応付けられた映像の表示方向と受信手段の受信方向が一致することが好ましい。
【産業上の利用可能性】
【０４６０】
携帯端末を向ける方向を変えることにより容易に操作できる電子機器であるため、機器を遠隔操作するための装置として適用できる。
【図面の簡単な説明】
【０４６１】
【図１】一実施の形態の表示装置が備える受信信号解析部の構成を示す概略図である。
【図２】一実施形態の携帯電話の外観を示す概略図である。
【図３】一実施形態の表示装置の外観を示す概略図である。
【図４】一実施形態の携帯電話の構成を示す概略図である。
【図５】一実施形態の携帯電話が備える受信信号解析部の構成を示す概略図である。
【図６】（ａ）および（ｂ）は、一実施形態の携帯電話が備えるメモリに保存されている画像データの保存様式を示す概略図である。
【図７】一実施形態の表示装置の構成を示す概略図である。
【図８】（ａ）〜（ｄ）は、一実施形態の携帯電話が備えるメモリが備える複数のメモリ領域に保存される画像データの例を示す図である。
【図９】（ａ）〜（ｄ）は、図８のメモリの状態に対応する、表示装置のディスプレイの表示様式を示す概略図である。
【図１０】一実施の形態の携帯電話における処理の流れを示すフローチャートである。
【図１１】一実施の形態の携帯電話における処理のサブルーチンを示すフローチャートである
【図１２】一実施の形態の表示装置における処理の流れを示すフローチャートである。
【図１３】（ａ）および（ｂ）は、データ送信要求信号を第１赤外線通信部にて受信した旨が表示された表示装置の画面の概略図である。
【図１４】データ送信要求信号が第１赤外線通信部に送信された場合の表示装置および携帯電話における処理の流れを示す図である。
【図１５】携帯電話から表示装置へ画像データを送信する処理を途中で中止する場合の表示装置および携帯電話における処理の流れを示す図である。
【図１６】別の実施形態の携帯電話の構成を示す概略図である
【図１７】別の実施形態の表示装置の外観を示す概略図である。
【図１８】別の実施形態の表示装置の構成を示す概略図である。
【図１９】別の実施形態の表示装置が備える受信信号解析部の構成を示す概略図である。
【図２０】別の実施形態の表示装置が備える赤外線通信部と携帯端末制御信号の内容との対応を示す図である。
【図２１】（ａ）および（ｂ）は、別の実施形態の表示装置における画面の例を示す概略図である。
【図２２】別の実施形態の携帯電話における処理の流れを示すフローチャートである。
【図２３】別の実施形態の表示装置における処理の流れを示すフローチャートである。
【図２４】携帯電話から表示装置へ画像データを送信する場合の表示装置および携帯電話における処理の流れを示す図である。
【図２５】さらに別の実施形態の表示装置の外観を示す概略図である。
【図２６】さらに別の実施形態の携帯電話の構成を示す概略図である。
【図２７】さらに別の実施形態の表示装置の構成を示す概略図である。
【図２８】さらに別の実施形態の表示装置が備える受信信号解析部の構成を示す概略図である。
【図２９】さらに別の実施形態の携帯電話における処理の流れを示すフローチャートである。
【図３０】さらに別の実施形態の表示装置の画面の例を示す概略図である。
【図３１】さらに別の実施形態の携帯電話における処理の流れを示すフローチャートである。
【図３２】さらに別の実施形態の表示装置における処理の流れを示すフローチャートである。
【図３３】携帯電話から表示装置へ操作信号を送信する場合の携帯電話および表示装置における処理の流れを示す図である。
【図３４】さらに別の実施形態の携帯電話の構成を示す概略図である。
【図３５】さらに別の実施形態の表示装置の構成を示す概略図である。
【図３６】さらに別の実施形態の表示装置が備える受信信号解析部の構成を示す概略図である。
【図３７】さらに別の実施形態の表示装置が備える受信信号判断部が有する機能対応テーブルの一例を示す図である。
【図３８】さらに別の実施形態の携帯電話における処理の流れを示すフローチャートである。
【図３９】さらに別の実施形態の表示装置における処理の流れを示すフローチャートである。
【図４０】携帯電話から表示装置へ投票信号を送信する場合の、携帯電話および表示装置における処理の流れを示す図である。
【図４１】さらに別の実施形態の表示装置の外観を示す概略図である。
【図４２】さらに別の実施形態の表示装置が備える表示部の可視範囲を示す概略図である。
【図４３】さらに別の実施形態の表示装置が備える赤外線通信部の受信可能範囲を示す概略図である。
【図４４】さらに別の実施形態の表示装置が備える赤外線通信部の構造を示す概略図である。
【図４５】さらに別の実施形態の表示装置の構成を示す概略図である。
【図４６】さらに別の実施形態の表示装置の外観を示す概略図である。
【図４７】さらに別の実施形態の表示装置が備える赤外線通信部の受信可能範囲を示す概略図である。
【符号の説明】
【０４６２】
１    表示装置（電子機器）
１ａ  第１赤外線通信部（受信部、送信部）
１ｂ  第２赤外線通信部（受信部、送信部）
１ｃ  ディスプレイ（表示部、報知部）
１ｇ  表示制御部（分割表示制御手段）
１ｊ  主制御部（制御手段）
１ｋ  タイマー
１ｌ  受信通信部判定部（受信部検出手段）
１ｍ  携帯端末識別情報抽出部（識別情報抽出手段）
２    携帯電話（携帯端末）
２ａ  赤外線通信部（受信部、送信部）
２ｋ  携帯端末識別情報抽出部（識別情報抽出手段）、
２ｌ  携帯端末識別情報比較部（識別情報比較手段）
５    第１表示領域（複数の表示領域）
６    第２表示領域（複数の表示領域）
１０    表示装置（電子機器）
１０ａ  第１ＬＥＤ（報知部）
１０ｂ  第２ＬＥＤ（報知部）
１０ｃ  送信信号生成部（制御信号生成手段）
１０ｆ  受信通信部判定部（受信部検出手段）
１０ｇ  携帯端末識別情報抽出部（識別情報抽出手段）
１０ｈ  携帯端末識別情報比較部（識別情報比較手段）
１１    表示装置（電子機器）
１１ａ  第１赤外線通信部（受信部、送信部）
１１ｂ  第２赤外線通信部（受信部、送信部）
１１ｃ  第３赤外線通信部（受信部、送信部）
１１ｄ  第４赤外線通信部（受信部、送信部）
１１ｆ  カーソル移動方向判定部（制御手段）
１１ｈ  受信通信部判定部（受信部検出手段）
１２    表示装置（電子機器）
１２ｂ  投票信号集計部（計測手段）
１２ｄ  無線通信部
１２ｅ  受信通信部判定部（受信部検出手段）
１２ｆ  携帯端末識別情報抽出部（識別情報抽出手段）
１２ｈ  受信信号判断部（識別情報比較手段）
１３ａ  受光部（受信部）
１３ｂ  発光部（送信部）
１４    表示装置（電子機器）
１４ａ  第１赤外線通信部（受信部、送信部）
１４ｂ  第２赤外線通信部（受信部、送信部）
１４ｃ  デュアルビュー液晶（マルチビュー表示部）
１５    表示装置（電子機器）
１５ａ  第１赤外線通信部（受信部、送信部）
１５ｂ  第２赤外線通信部（受信部、送信部）
１５ｃ  第３赤外線通信部（受信部、送信部）
１５ｄ  第４赤外線通信部（受信部、送信部）
２０    携帯電話（携帯端末）
２１    携帯電話（携帯端末）
２２    携帯電話（携帯端末）
【図１】
2007142653.tif 000003
【図２】
2007142653.tif 000004
【図３】
2007142653.tif 000005
【図４】
2007142653.tif 000006
【図５】
2007142653.tif 000007
【図６】
2007142653.tif 000008
【図７】
2007142653.tif 000009
【図８】
2007142653.tif 000010
【図９】
2007142653.tif 000011
【図１０】
2007142653.tif 000012
【図１１】
2007142653.tif 000013
【図１２】
2007142653.tif 000014
【図１３】
2007142653.tif 000015
【図１４】
2007142653.tif 000016
【図１５】
2007142653.tif 000017
【図１６】
2007142653.tif 000018
【図１７】
2007142653.tif 000019
【図１８】
2007142653.tif 000020
【図１９】
2007142653.tif 000021
【図２０】
2007142653.tif 000022
【図２１】
2007142653.tif 000023
【図２２】
2007142653.tif 000024
【図２３】
2007142653.tif 000025
【図２４】
2007142653.tif 000026
【図２５】
2007142653.tif 000027
【図２６】
2007142653.tif 000028
【図２７】
2007142653.tif 000029
【図２８】
2007142653.tif 000030
【図２９】
2007142653.tif 000031
【図３０】
2007142653.tif 000032
【図３１】
2007142653.tif 000033
【図３２】
2007142653.tif 000034
【図３３】
2007142653.tif 000035
【図３４】
2007142653.tif 000036
【図３５】
2007142653.tif 000037
【図３６】
2007142653.tif 000038
【図３７】
2007142653.tif 000039
【図３８】
2007142653.tif 000040
【図３９】
2007142653.tif 000041
【図４０】
2007142653.tif 000042
【図４１】
2007142653.tif 000043
【図４２】
2007142653.tif 000044
【図４３】
2007142653.tif 000045
【図４４】
2007142653.tif 000046
【図４５】
2007142653.tif 000047
【図４６】
2007142653.tif 000048
【図４７】
2007142653.tif 000049